(57)【要約】  本開示は、マルチキャストサービス伝送方法、マルチキャストサービス受信方法および装置を提供する。マルチキャストサービス受信方法は、ネットワーク側からアンカー搬送波および／またはノンアンカー搬送波である搬送波で伝送されるマルチキャストサービスの関連情報を受信することと、前記マルチキャストサービスの関連情報に基づいて、搬送波から、アンカー搬送波またはノンアンカー搬送波である目標搬送波を選択し、選択された目標搬送波でマルチキャストサービスを受信することとを含む。【選択図】  図３
2019528612.tif 000002
【特許請求の範囲】
【請求項１】
ネットワーク側に応用されるマルチキャストサービス伝送方法において、
ネットワーク側からアンカー搬送波および／またはノンアンカー搬送波である搬送波でマルチキャストサービスの関連情報を伝送することを含むマルチキャストサービス伝送方法。
【請求項２】
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、
ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含む請求項１に記載の方法。
【請求項３】
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含む請求項１に記載の方法。
【請求項４】
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含む請求項１に記載の方法。
【請求項５】
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することと、
を含む請求項１に記載の方法。
【請求項６】
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することと、
を含む請求項１に記載の方法。
【請求項７】
マルチキャストサービスをサポートするノンアンカー搬送波の情報は、前記アンカー搬送波のマルチキャスト制御チャネルにて運ばれている請求項２〜６のいずれか一項に記載の方法。
【請求項８】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項７に記載の方法。
【請求項９】
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、
ネットワーク側からアンカー搬送波でノンアンカー搬送波のマルチキャスト制御チャネルを受信することに用いられる第２情報、および、ノンアンカー搬送波のマルチキャスト制御チャネル更新指示を受信することに用いられる第４情報を伝送することと、
を含む請求項１に記載の方法。
【請求項１０】
マルチキャストサービスをサポートするノンアンカー搬送波の情報は、ネットワーク側からアンカー搬送波で放送される請求項６または９に記載の方法。
【請求項１１】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項１０に記載の方法。
【請求項１２】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む請求項２〜６のいずれか一項に記載の方法。
【請求項１３】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む請求項２または４または９に記載の方法。
【請求項１４】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む請求項２または３または４または５に記載の方法。
【請求項１５】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項２または３または４または５または６または９に記載の方法。
【請求項１６】
端末に応用されるマルチキャストサービス受信方法において、
ネットワーク側からアンカー搬送波および／またはノンアンカー搬送波である搬送波で伝送されるマルチキャストサービスの関連情報を受信することと、
前記マルチキャストサービスの関連情報に基づいて、搬送波から、アンカー搬送波またはノンアンカー搬送波である目標搬送波を選択し、選択された目標搬送波でマルチキャストサービスを受信することと、
を含むマルチキャストサービス受信方法。
【請求項１７】
ノンアンカー搬送波のマルチキャスト制御チャネル更新指示を受信することに用いられる第４情報がネットワーク側からアンカー搬送波で送信される場合に、
端末が、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することをさらに含む請求項１６に記載の方法。
【請求項１８】
前記第４情報に基づいて、前記ノンアンカー搬送波のマルチキャスト制御チャネル更新指示をノンアンカー搬送波で受信することは、
前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得ること、または、
前記第４情報に基づいて、所定の無線リソース制御メッセージを前記ノンアンカー搬送波で受信し、マルチキャスト制御チャネルの更新指示を解析して得ること、
を含む請求項１７に記載の方法。
【請求項１９】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項１７に記載の方法。
【請求項２０】
端末が前記マルチキャストサービスの関連情報に基づいて搬送波から目標搬送波を選択することは、
端末が、マルチキャストサービスをサポートするノンアンカー搬送波の情報をアンカー搬送波で受信することと、
端末が、マルチキャストサービスの関連情報、および、マルチキャストサービスをサポートするノンアンカー搬送波の情報に基づいて、マルチキャストサービスをサポートする搬送波を、目標搬送波として搬送波から選択することとを含む請求項１６に記載の方法。
【請求項２１】
ネットワーク側からアンカー搬送波で伝送されるアンカー搬送波のマルチキャスト制御チャネルには、マルチキャストサービスをサポートするノンアンカー搬送波の情報が運ばれている場合に、前記端末が、マルチキャストサービスをサポートするノンアンカー搬送波の情報をアンカー搬送波で受信することは、
端末が、搬送波で伝送される前記マルチキャストサービスの関連情報から、アンカー搬送波で伝送されるアンカー搬送波のマルチキャスト制御チャネルを選択することと、
前記アンカー搬送波のマルチキャスト制御チャネルを解析し、マルチキャストサービスをサポートするノンアンカー搬送波の情報を特定することと、
を含む請求項２０に記載の方法。
【請求項２２】
マルチキャストサービスをサポートするノンアンカー搬送波の情報がネットワーク側からアンカー搬送波で放送される場合に、前記端末が、マルチキャストサービスをサポートするノンアンカー搬送波の情報をアンカー搬送波で受信することは、
端末が、ネットワーク側から放送されるシステムメッセージを受信し、前記システムメッセージを解析して、マルチキャストサービスをサポートするノンアンカー搬送波の情報を特定することを含む請求項２０に記載の方法。
【請求項２３】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項２１または２２に記載の方法。
【請求項２４】
アンカー搬送波のマルチキャスト制御チャネル、および、アンカー搬送波のマルチキャスト制御チャネルを受信することに用いられる第１情報がネットワーク側からアンカー搬送波で伝送される場合に、ネットワーク側から搬送波で伝送されるマルチキャストサービスの関連情報を受信することは、
ネットワーク側からアンカー搬送波で伝送されるアンカー搬送波のマルチキャスト制御チャネルを受信することに用いられる第１情報を受信することと、
前記第１情報に基づいて、前記アンカー搬送波でアンカー搬送波のマルチキャスト制御チャネルを受信することと、
を含む請求項１６に記載の方法。
【請求項２５】
ノンアンカー搬送波のマルチキャスト制御チャネルを受信することに用いられる第２情報がネットワーク側からアンカー搬送波で伝送される場合に、ネットワーク側から搬送波で伝送されるマルチキャストサービスの関連情報を受信することは、
ネットワーク側からアンカー搬送波で伝送されるノンアンカー搬送波のマルチキャスト制御チャネルを受信することに用いられる第２情報を受信することと、
前記第２情報に基づいて、前記ノンアンカー搬送波でノンアンカー搬送波のマルチキャスト制御チャネルを受信することと、
を含む請求項１６に記載の方法。
【請求項２６】
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送され、
または、
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される請求項２４または２５に記載の方法。
【請求項２７】
ネットワーク側からアンカー搬送波でアンカー搬送波のマルチキャストトラフィックチャネルが伝送される場合に、アンカー搬送波で伝送されるアンカー搬送波のマルチキャストトラフィックチャネルのスケジューリング情報も、ネットワーク側からアンカー搬送波のマルチキャストトラフィックチャネルで伝送される請求項２６に記載の方法。
【請求項２８】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む請求項２４に記載の方法。
【請求項２９】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む請求項２５に記載の方法。
【請求項３０】
前記マルチキャストサービスの関連情報に基づいて、搬送波から目標搬送波を選択することは、
端末が、ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定することと、
端末の嗜好に合うマルチキャストサービスをサポートする搬送波を、目標搬送波として選択することと、
を含む請求項２６に記載の方法。
【請求項３１】
前記マルチキャストサービスの関連情報に基づいて、搬送波から目標搬送波を選択することは、
端末が、ネットワーク側からアンカー搬送波で放送され、マルチキャストサービスを伝送する搬送波の情報に基づいて、マルチキャストサービスをサポートする搬送波を選択することと、
端末が、ネットワーク側からノンアンカー搬送波で伝送され、ノンアンカー搬送波にサポートされるマルチキャストサービス情報を、ノンアンカー搬送波のマルチキャスト制御チャネルで受信することと、
端末の嗜好に合うマルチキャストサービスをサポートする搬送波を、目標搬送波として選択することと、
を含む請求項２２に記載の方法。
【請求項３２】
端末の嗜好に合うマルチキャストサービスをサポートする搬送波を、目標搬送波として選択することは、
端末が、マルチキャストサービスの受信とページングの受信が時間上衝突しない搬送波を優先的に目標搬送波として選択すること、
または、
端末が、端末の嗜好に合うマルチキャストサービスをサポートする搬送波をランダムに一つ選択して目標搬送波とすることを含む請求項３０または３１に記載の方法。
【請求項３３】
端末が、端末の嗜好に合うマルチキャストサービスのマルチキャストトラフィックチャネルを、前記目標搬送波で受信することをさらに含む請求項３２に記載の方法。
【請求項３４】
端末が目標搬送波でマルチキャストサービスを受信する期間中に、搬送波で伝送されるマルチキャストサービスには、端末の嗜好に合うほかのマルチキャストサービスがある場合に、
端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信すること、
または、
端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することをさらに含み、
ここで、端末が、システム放送または所定の無線リソース制御メッセージによって、前記周期的な周期の長さを受信する請求項３３に記載の方法。
【請求項３５】
アンカー搬送波のマルチキャスト制御チャネル更新指示を受信することに用いられる第３情報がネットワーク側からアンカー搬送波で送信される場合には、
端末が、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することをさらに含む請求項１６に記載の方法。
【請求項３６】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む請求項３４または３５に記載の方法。
【請求項３７】
ネットワーク側から異なるノンアンカー搬送波で同一のマルチキャストサービスが伝送される場合に、端末の嗜好に合うマルチキャストサービスをサポートする搬送波を、目標搬送波として選択することは、
端末が、ネットワーク側から設定され、端末の嗜好に合うマルチキャストサービスをサポートする単一のノンアンカー搬送波を目標搬送波として選択することを含む請求項３０に記載の方法。
【請求項３８】
選択された目標搬送波でマルチキャストサービスを受信した後に、
端末が、選択された目標搬送波で、端末の嗜好に合うマルチキャストサービスを報告することをさらに含む請求項１６に記載の方法。
【請求項３９】
ネットワーク側に応用されるマルチキャストサービス伝送装置において、
アンカー搬送波および／またはノンアンカー搬送波である搬送波でマルチキャストサービスの関連情報を伝送することに用いられる伝送モジュールを含むマルチキャストサービス伝送装置。
【請求項４０】
前記伝送モジュールは、
ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第１伝送サブモジュールと、
アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第２伝送サブモジュールと、
を含む請求項３９に記載の装置。
【請求項４１】
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第３伝送サブモジュールと、
アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第４伝送サブモジュールと、
を含む請求項３９に記載の装置。
【請求項４２】
前記伝送モジュールは、
ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第５伝送サブモジュールと、
アンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第６伝送サブモジュールと、
を含む請求項３９に記載の装置。
【請求項４３】
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第７伝送サブモジュールと、
アンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することに用いられる第８伝送サブモジュールと、
を含む請求項３９に記載の装置。
【請求項４４】
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第９伝送サブモジュールと、
ネットワーク側から異なるノンアンカー搬送波で同一のマルチキャストサービスが伝送される場合、アンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することに用いられる第１０伝送サブモジュールと、
を含む請求項３９に記載の装置。
【請求項４５】
マルチキャストサービスをサポートするノンアンカー搬送波の情報は、前記アンカー搬送波のマルチキャスト制御チャネルにて運ばれている請求項４０〜４４のいずれか一項に記載の装置。
【請求項４６】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項４５に記載の装置。
【請求項４７】
前記伝送モジュールは、
ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第１１伝送サブモジュールと、
ネットワーク側から異なるノンアンカー搬送波で同一のマルチキャストサービスが伝送される場合、ノンアンカー搬送波のマルチキャスト制御チャネルを受信することに用いられる第２情報、および、ノンアンカー搬送波のマルチキャスト制御チャネル更新指示を受信することに用いられる第４情報をアンカー搬送波で伝送することに用いられる第１２伝送サブモジュールと、
を含む請求項３９に記載の装置。
【請求項４８】
マルチキャストサービスをサポートするノンアンカー搬送波の情報は、ネットワーク側からアンカー搬送波で放送される請求項４４または４７に記載の装置。
【請求項４９】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項４８に記載の装置。
【請求項５０】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む請求項４０〜４４のいずれか一項に記載の装置。
【請求項５１】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む請求項４０または４２または４７に記載の装置。
【請求項５２】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む請求項４０または４１または４２または４３に記載の装置。
【請求項５３】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項４０または４１または４２または４３または４４または４７に記載の装置。
【請求項５４】
端末に応用されるマルチキャストサービス受信装置において、
ネットワーク側からアンカー搬送波および／またはノンアンカー搬送波である搬送波で伝送されるマルチキャストサービスの関連情報を受信することに用いられる情報受信モジュールと、
前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュールとを含むマルチキャストサービス受信装置。
【請求項５５】
ノンアンカー搬送波のマルチキャスト制御チャネル更新指示を受信することに用いられる第４情報がネットワーク側からアンカー搬送波で送信される場合、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することに用いられる第１指示受信モジュールをさらに含む請求項５４に記載の装置。
【請求項５６】
前記指示受信モジュールは、
前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得ることに用いられる第１指示受信サブモジュール、または、
前記第４情報に基づいて、所定の無線リソース制御メッセージを前記ノンアンカー搬送波で受信し、マルチキャスト制御チャネルの更新指示を解析して得ることに用いられる第２指示受信サブモジュールを含む請求項５５に記載の装置。
【請求項５７】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項５５に記載の装置。
【請求項５８】
サービス送信モジュールは、
マルチキャストサービスをサポートするノンアンカー搬送波の情報をアンカー搬送波で受信することに用いられる情報受信サブモジュールと、
マルチキャストサービスの関連情報、および、マルチキャストサービスをサポートするノンアンカー搬送波の情報に基づいて、マルチキャストサービスをサポートする搬送波を、目標搬送波として搬送波から選択することに用いられる搬送波選択サブモジュールとを含む請求項５４に記載の装置。
【請求項５９】
情報受信サブモジュールは、
ネットワーク側からアンカー搬送波で伝送されるアンカー搬送波のマルチキャスト制御チャネルには、マルチキャストサービスをサポートするノンアンカー搬送波の情報が運ばれている場合、搬送波で伝送される前記マルチキャストサービスの関連情報から、アンカー搬送波で伝送されるアンカー搬送波のマルチキャスト制御チャネルを選択することに用いられる情報選択ユニットと、
前記アンカー搬送波のマルチキャスト制御チャネルを解析し、マルチキャストサービスをサポートするノンアンカー搬送波の情報を特定することに用いられる解析ユニットとを含む請求項５８に記載の装置。
【請求項６０】
情報受信サブモジュールは、
マルチキャストサービスをサポートするノンアンカー搬送波の情報がネットワーク側からアンカー搬送波で放送される場合、ネットワーク側から放送されるシステムメッセージを受信し、前記システムメッセージを解析して、マルチキャストサービスをサポートするノンアンカー搬送波の情報を特定することに用いられる放送受信ユニットを含む請求項５８に記載の装置。
【請求項６１】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項５９または６０に記載の装置。
【請求項６２】
前記情報受信モジュールは、
アンカー搬送波のマルチキャスト制御チャネル、および、アンカー搬送波のマルチキャスト制御チャネルを受信することに用いられる第１情報がネットワーク側からアンカー搬送波で伝送される場合、ネットワーク側からアンカー搬送波で伝送されるアンカー搬送波のマルチキャスト制御チャネルを受信することに用いられる第１情報を受信することに用いられる第１処理サブモジュールと、
前記第１情報に基づいて、前記アンカー搬送波でアンカー搬送波のマルチキャスト制御チャネルを受信することに用いられる第２処理サブモジュールと、
を含む請求項５４に記載の装置。
【請求項６３】
前記情報受信モジュールは、
ノンアンカー搬送波のマルチキャスト制御チャネルを受信することに用いられる第２情報がネットワーク側からアンカー搬送波で伝送される場合、ネットワーク側からアンカー搬送波で伝送されるノンアンカー搬送波のマルチキャスト制御チャネルを受信することに用いられる第２情報を受信することに用いられる第３処理サブモジュールと、
前記第２情報に基づいて、前記ノンアンカー搬送波でノンアンカー搬送波のマルチキャスト制御チャネルを受信することに用いられる第４処理サブモジュールと、
を含む請求項５４に記載の装置。
【請求項６４】
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送され、
または、
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される請求項６２または６３に記載の装置。
【請求項６５】
ネットワーク側からアンカー搬送波でアンカー搬送波のマルチキャストトラフィックチャネルが伝送される場合に、アンカー搬送波で伝送されるアンカー搬送波のマルチキャストトラフィックチャネルのスケジューリング情報も、ネットワーク側からアンカー搬送波のマルチキャストトラフィックチャネルで伝送される請求項６４に記載の装置。
【請求項６６】
前記アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む請求項６２に記載の装置。
【請求項６７】
前記ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む請求項６３に記載の装置。
【請求項６８】
前記サービス送信モジュールは、
ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定することに用いられる第５処理サブモジュールと、
端末の嗜好に合うマルチキャストサービスをサポートする搬送波を、目標搬送波として選択することに用いられる第６処理サブモジュールと、
を含む請求項６４に記載の装置。
【請求項６９】
前記サービス送信モジュールは、
ネットワーク側からアンカー搬送波で放送され、マルチキャストサービスを伝送する搬送波の情報に基づいて、マルチキャストサービスをサポートする搬送波を選択することに用いられる第１搬送波選択サブモジュールと、
ネットワーク側からノンアンカー搬送波で伝送され、ノンアンカー搬送波にサポートされるマルチキャストサービス情報を、ノンアンカー搬送波のマルチキャスト制御チャネルで受信することに用いられる情報受信サブモジュールと、
端末の嗜好に合うマルチキャストサービスをサポートする搬送波を、目標搬送波として選択することに用いられる第２搬送波選択サブモジュールと、
を含む請求項６０に記載の装置。
【請求項７０】
第６処理サブモジュールは、
マルチキャストサービスの受信とページングの受信が時間上衝突しない搬送波を優先的に目標搬送波として選択することに用いられる第１選択ユニット、
および／または、
端末の嗜好に合うマルチキャストサービスをサポートする搬送波をランダムに一つ選択して目標搬送波とすることに用いられる第２選択ユニットを含む請求項６８または６９に記載の装置。
【請求項７１】
端末の嗜好に合うマルチキャストサービスのマルチキャストトラフィックチャネルを、前記目標搬送波で受信することに用いられるトラフィックチャネル受信モジュールをさらに含む請求項７０に記載の装置。
【請求項７２】
端末が目標搬送波でマルチキャストサービスを受信する期間中に、搬送波で伝送されるマルチキャストサービスには、端末の嗜好に合うほかのマルチキャストサービスがある場合、端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第１選択モジュール、
および／または、
端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第２選択モジュールをさらに含み、
ここで、端末が、システム放送または所定の無線リソース制御メッセージによって、前記周期的な周期の長さを受信する請求項７１に記載の装置。
【請求項７３】
アンカー搬送波のマルチキャスト制御チャネル更新指示を受信することに用いられる第３情報がネットワーク側からアンカー搬送波で送信される場合、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することに用いられる第２指示受信モジュールをさらに含む請求項５４に記載の装置。
【請求項７４】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む請求項７２または７３に記載の装置。
【請求項７５】
第６サブ処理モジュールは、
ネットワーク側から異なるノンアンカー搬送波で同一のマルチキャストサービスが伝送される場合、ネットワーク側から設定され、端末の嗜好に合うマルチキャストサービスをサポートする単一のノンアンカー搬送波を目標搬送波として選択することに用いられる第３選択ユニットを含む請求項６８に記載の装置。
【請求項７６】
選択された目標搬送波で、端末の嗜好に合うマルチキャストサービスを報告することに用いられる報告モジュールをさらに含む請求項５４に記載の装置。
【請求項７７】
ネットワーク側に応用されるマルチキャストサービス伝送装置において、
プロセッサと、
バスインタフェースを介して前記プロセッサに接続され、前記プロセッサによる操作実行に用いられるプログラムとデータを記憶するために用いられるメモリと、
バスインタフェースを介してプロセッサに接続され、マルチキャストサービスおよびマルチキャストサービスの関連情報を送信することに用いられるトランシーバとを含み、
プロセッサが、前記メモリに格納されているプログラムとデータを呼び出して実行すると、
アンカー搬送波および／またはノンアンカー搬送波である搬送波でマルチキャストサービスの関連情報を伝送することに用いられる伝送モジュールを実現するマルチキャストサービス伝送装置。
【請求項７８】
端末に応用されるマルチキャストサービス受信装置において、
プロセッサと、
バスインタフェースを介して前記プロセッサに接続され、前記プロセッサによる操作実行に用いられるプログラムとデータを記憶するために用いられるメモリと、
バスインタフェースを介してプロセッサに接続され、マルチキャストサービスおよびマルチキャストサービスの関連情報を受信することに用いられるトランシーバとを含み、
プロセッサが、前記メモリに格納されているプログラムとデータを呼び出して実行すると、
ネットワーク側からアンカー搬送波および／またはノンアンカー搬送波である搬送波で伝送されるマルチキャストサービスの関連情報を受信することに用いられる情報受信モジュールと、
前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュールを実現するマルチキャストサービス受信装置。
【発明の詳細な説明】
【技術分野】
【０００１】
本願は、２０１６年８月１２日に中国特許庁に提出された中国特許出願２０１６１０６６５３２８．４の優先権を主張し、その全ての内容が援用によりここに取り込まれる。
本開示は、通信技術分野に係り、特にマルチキャストサービス伝送方法、マルチキャストサービス受信方法、および装置に係る。
【背景技術】
【０００２】
ＮＢ−ＩｏＴ（Ｎａｒｒｏｗ  Ｂａｎｄ  Ｉｎｔｅｒｎｅｔ  ｏｆ  Ｔｈｉｎｇｓ）のＷＩ（Ｗｏｒｋ  Ｉｔｅｍ）は、３ＧＰＰのリリース１３（Ｒｅｌｅａｓｅ  １３）段階でスタートした。ＮＢ−ＩｏＴのＷＩ段階の目標は、ＣＩｏＴ（Ｃｅｌｌｕｌａｒ  Ｉｎｔｅｒｎｅｔ  ｏｆ  Ｔｈｉｎｇｓ）における無線アクセス技術の標準化である。ＬＴＥ／ＬＴＥ−Ａに基づいて拡張された技術において、主に、室内カバーの強化、大量の低速機器からのアクセスのサポート、低い遅延感度、機器コストの低下、機器損失の低下、ネットワークアーキテクチャの最適化などのネットワーク特性／目標が考慮される。
【０００３】
現在、ＮＢ−ＩｏＴ機器の移動性が低いこと、ＮＢ−ＩｏＴ端末とネットワーク側とのデータ伝送ではリアルタイム性が高く求められないこと、ＮＢ−ＩｏＴ端末にエネルギー制限があり、極めて低い電力損失が求められること、ＮＢ−ＩｏＴ端末とネットワーク側との間で小さいデータ量の情報伝送のみ行われること、ＮＢ−ＩｏＴ端末の具現複雑度が低いことなど、ＮＢ−ＩｏＴ通信に存在しうる一部の特性が知られている。１つの実際のＮＢ−ＩｏＴ端末には、上述した特性の１つまたは複数を有する。
【０００４】
セルの負荷を軽減させるために、ＮＢ−ＩｏＴでマルチキャリア処理がサポートされる。マルチキャリア処理において、搬送波は、アンカー（ａｎｃｈｏｒ）搬送波とノンアンカー（ｎｏｎ−ａｎｃｈｏｒ）搬送波に分けられる。ａｎｃｈｏｒ搬送波では、端末がＮＰＢＣＨ（ナローバンド物理ブロードキャストチャネル）／ＮＰＳＳ（ナローバンドプライマリ同期信号）、ＮＳＳＳ（ナローバンドセカンダリ同期信号）とＳＩＢ伝送の受信が可能である。ｎｏｎ−ａｎｃｈｏｒ搬送波では、現在、Ｒ１３の端末からのＮＢ−ＰＤＣＣＨ（ナローバンド物理ダウンリンク制御チャネル）／ＮＢ−ＰＤＳＣＨ（ナローバンド物理ダウンリンク共有チャネル）および／またはＮＢ−ＰＵＳＣＨ（ナローバンド物理アップリンク共有チャネル）の伝送のみが期待される。
【０００５】
ＮＢ−ＩｏＴ端末は、処理力の制限により、同時に複数の搬送波で動作できない。Ｒ１３において、ランダムアクセスは、ａｎｃｈｏｒ搬送波でしか引き起こされない。接続状態ＵＥは、ｎｏｎ−ａｎｃｈｏｒ搬送波に設定された場合、アイドル状態に移行するまで、当該ｎｏｎ−ａｎｃｈｏｒ搬送波で動作する。または、接続状態でランダムアクセスを引き起こす必要があり、または、別の搬送波に割り当てられる。
【０００６】
Ｒ１３において、アイドル状態ＵＥは、ａｎｃｈｏｒ搬送波での滞在のみがサポートされる。今後の強化において、ｎｏｎ−ａｎｃｈｏｒ搬送波でページングを受信して滞在することが許容される可能性がある。
【０００７】
Ｅ−ＵＴＲＡＮ（３Ｇアクセスネットワーク）において、端末は、ＲＲＣ（無線リソース制御）接続状態またはＲＲＣアイドル状態でＭＢＭＳ（マルチメディアブロードキャストマルチキャストサービス）を受信し、セルではユニキャストとＭＢＭＳを同時にサポートしなければならない。端末は、ＭＢＭＳ受信中にページングを受信したりコールを引き起こしたりすることができる。ＭＢＭＳシステムの論理アークテクチャを図１に示す。
【０００８】
ＬＴＥにおいて、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）とＳＣ−ＰＴＭ（Ｓｉｎｇｌｅ  Ｃｅｌｌ  Ｐｏｉｎｔ  Ｔｏ  Ｍｕｌｔｉｐｌｏｉｎｔ）方式によるマルチキャストサービス伝送が可能である。
【０００９】
ＭＢＭＳ方式において、あるＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）領域で、ＭＢＭＳに参与するすべてのセルは、同一の時間と周波数領域リソースで同一のコンテンツを送信する。ＭＢＭＳの論理チャネルは、ＭＣＣＨ（Ｍｕｌｔｉｃａｓｔ  Ｃｏｎｔｒｏｌ  Ｃｈａｎｎｅｌ）とＭＴＣＨ（Ｍｕｌｔｉｃａｓｔ  Ｔｒａｆｆｉｃ  Ｃｈａｎｎｅｌ）を含む。ＳＩＢ１３において、ＭＢＳＦＮ領域識別子と、対応するＭＣＣＨ設定情報が放送される。ＭＣＣＨシグナリングにて、セルで進行中のＭＢＭＳサービス情報および対応する無線リソース構成が運ばれる。ＵＥは、ＭＣＣＨを受信することによって、ＭＴＣＨで伝送される嗜好に合うＭＢＭＳサービスを受信する。ＭＣＣＨメッセージの更新は、システムメッセージの修正周期の概念に類似するが、ＭＣＣＨは、ＭＣＣＨ修正周期の境界のみで更新される。ＭＣＣＨメッセージ更新指示は、Ｍ−ＲＮＴＩでスクランブルされるＰＤＣＣＨによって通知される。
【００１０】
ＳＣ−ＰＴＭ方式において、マルチキャストサービスは、１つの独立セルで伝送され、基地局がスケジューリングを担う。基地局は、あるセルにおけるマルチキャストサービスとユニキャストサービスの伝送を柔軟にスケジューリングすることができる。ＳＣ−ＰＴＭの論理チャネルは、ＳＣ−ＭＣＣＨ（Ｓｉｎｇｌｅ  Ｃｅｌｌ  Ｍｕｌｔｉｃａｓｔ  Ｃｏｎｔｒｏｌ  Ｃｈａｎｎｅｌ）とＳＣ−ＭＴＣＨ（Ｓｉｎｇｌｅ  Ｃｅｌｌ  Ｍｕｌｔｉｃａｓｔ  Ｔｒａｎｓｐｏｒｔ  Ｃｈａｎｎｅｌ）を含む。ＳＣ−ＭＣＣＨとＳＣ−ＭＴＣＨは、ＤＬ−ＳＣＨで伝送される。ＵＥは、特定のＲＮＴＩでスクランブルされるＰＤＣＣＨ（ＳＣ−ＭＣＣＨに対応するＲＮＴＩがＳＣ−ＲＮＴＩであり、一定の値である。ＳＣ−ＭＴＣＨに対応するＲＮＴＩがＧ−ＲＮＴＩである。各ＭＢＭＳサービスは、Ｇ−ＲＮＴＩに一対一に対応し、ＳＣ−ＭＣＣＨで設定される。）によって、対応するＤＬ−ＳＣＨでの具体的なスケジューリング情報を取得する。ＳＩＢ２０ではＳＣ−ＭＣＣＨの構成情報が放送される。ＳＣ−ＭＣＣＨは、現在のセルで進行中のＭＢＭＳサービス情報および対応するスケジューリング情報、隣接セルから提供されたＳＣ−ＰＴＭ状況などを提供する。ＭＣＣＨと同様に、ＳＣ−ＭＣＣＨの更新においても、修正周期の概念が用いられる。ＳＣ−ＭＣＣＨ更新指示は、ＳＣ−Ｎ−ＲＮＴＩでスクランブルされるＰＤＣＣＨによって通知される。ＵＥは、ＳＣ−ＭＣＣＨ更新指示を受信すると、同一サブフレームで更新後のＳＣ−ＭＣＣＨを受信する。
【００１１】
ＮＢ−ＩｏＴにおいてマルチキャリア処理がサポートされるが、同一時刻では、ＮＢ−ＩｏＴ端末が１つの搬送波でしか動作できない。マルチキャストサービスの関連情報がｎｏｎ−ａｎｃｈｏｒ搬送波で伝送可能であり、当該端末が現在ｎｏｎ−ａｎｃｈｏｒ搬送波で動作しまたは滞在するのであれば、この際に当該端末がどのようにマルチキャストサービスを受信するかに関する研究は、まだなされていない。
【発明の概要】
【発明が解決しようとする課題】
【００１２】
本開示の目的は、端末がノンアンカー搬送波（ｎｏｎ−ａｎｃｈｏｒ搬送波）で動作する際にマルチキャストサービスが受信できない問題を解決するマルチキャストサービス伝送方法、マルチキャストサービス受信方法、および装置を提供することである。
【課題を解決するための手段】
【００１３】
上述した目的を達成するために、本開示は、ネットワーク側に応用されるマルチキャストサービス伝送方法を提供する。前記方法は、ネットワーク側からアンカー搬送波および／またはノンアンカー搬送波である搬送波でマルチキャストサービスの関連情報を伝送することを含む。
【００１４】
ネットワーク側から搬送波でマルチキャストサービスの関連情報を伝送することは、ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することとを含む。
【００１５】
ネットワーク側から搬送波でマルチキャストサービスの関連情報を伝送することは、ネットワーク側からノンアンカー搬送波でノンアンカー搬送波のマルチキャストトラフィックチャネル、および、ノンアンカー搬送波のマルチキャスト制御チャネル更新指示を伝送することと、ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することとを含む。
【００１６】
ネットワーク側から搬送波でマルチキャストサービスの関連情報を伝送することは、ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することと、ネットワーク側からアンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することとを含む。
【００１７】
ネットワーク側から搬送波でマルチキャストサービスの関連情報を伝送することは、ネットワーク側からノンアンカー搬送波でノンアンカー搬送波のマルチキャストトラフィックチャネル、および、ノンアンカー搬送波のマルチキャスト制御チャネル更新指示を伝送することと、ネットワーク側からアンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することとを含む。
【００１８】
ネットワーク側から搬送波でマルチキャストサービスの関連情報を伝送することは、ネットワーク側からノンアンカー搬送波でノンアンカー搬送波のマルチキャストトラフィックチャネル、および、ノンアンカー搬送波のマルチキャスト制御チャネル更新指示を伝送することと、ネットワーク側からアンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することとを含む。
【００１９】
マルチキャストサービスをサポートするノンアンカー搬送波の情報は、前記アンカー搬送波のマルチキャスト制御チャネルにて運ばれている。
【００２０】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００２１】
ネットワーク側から搬送波でマルチキャストサービスの関連情報を伝送することは、ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、ネットワーク側からアンカー搬送波で、ノンアンカー搬送波のマルチキャスト制御チャネルを受信することに用いられる第２情報、および、ノンアンカー搬送波のマルチキャスト制御チャネル更新指示を受信することに用いられる第４情報を伝送することとを含む。
【００２２】
マルチキャストサービスをサポートするノンアンカー搬送波の情報は、ネットワーク側からアンカー搬送波で放送される。
【００２３】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００２４】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む。
【００２５】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む。
【００２６】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む。
【００２７】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む。
【００２８】
本開示の実施例は、端末に応用されるマルチキャストサービス受信方法をさらに提供する。前記方法は、ネットワーク側からアンカー搬送波および／またはノンアンカー搬送波である搬送波で伝送されるマルチキャストサービスの関連情報を受信することと、前記マルチキャストサービスの関連情報に基づいて、搬送波から、アンカー搬送波またはノンアンカー搬送波である目標搬送波を選択し、選択された目標搬送波でマルチキャストサービスを受信することとを含む。
【００２９】
ノンアンカー搬送波のマルチキャスト制御チャネル更新指示を受信することに用いられる第４情報がネットワーク側からアンカー搬送波で送信される場合、前記方法は、端末が、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することをさらに含む。
【００３０】
前記第４情報に基づいて、前記ノンアンカー搬送波のマルチキャスト制御チャネル更新指示をノンアンカー搬送波で受信することは、前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得ること、または、前記第４情報に基づいて、所定の無線リソース制御メッセージを前記ノンアンカー搬送波で受信し、マルチキャスト制御チャネルの更新指示を解析して得ることを含む。
【００３１】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む。
【００３２】
端末が前記マルチキャストサービスの関連情報に基づいて搬送波から目標搬送波を選択することは、端末が、マルチキャストサービスをサポートするノンアンカー搬送波の情報をアンカー搬送波で受信することと、端末が、マルチキャストサービスの関連情報、および、マルチキャストサービスをサポートするノンアンカー搬送波の情報に基づいて、マルチキャストサービスをサポートする搬送波を、目標搬送波として搬送波から選択することとを含む。
【００３３】
ネットワーク側からアンカー搬送波で伝送されるアンカー搬送波のマルチキャスト制御チャネルには、マルチキャストサービスをサポートするノンアンカー搬送波の情報が運ばれている場合に、前記端末が、マルチキャストサービスをサポートするノンアンカー搬送波の情報をアンカー搬送波で受信することは、端末が、搬送波で伝送される前記マルチキャストサービスの関連情報から、アンカー搬送波で伝送されるアンカー搬送波のマルチキャスト制御チャネルを選択することと、前記アンカー搬送波のマルチキャスト制御チャネルを解析し、マルチキャストサービスをサポートするノンアンカー搬送波の情報を特定することとを含む。
【００３４】
マルチキャストサービスをサポートするノンアンカー搬送波の情報がネットワーク側からアンカー搬送波で放送される場合に、前記端末が、マルチキャストサービスをサポートするノンアンカー搬送波の情報をアンカー搬送波で受信することは、端末が、ネットワーク側から放送されるシステムメッセージを受信し、前記システムメッセージを解析して、マルチキャストサービスをサポートするノンアンカー搬送波の情報を特定することを含む。
【００３５】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００３６】
アンカー搬送波のマルチキャスト制御チャネル、および、アンカー搬送波のマルチキャスト制御チャネルを受信することに用いられる第１情報がネットワーク側からアンカー搬送波で伝送される場合に、ネットワーク側から搬送波で伝送されるマルチキャストサービスの関連情報を受信することは、ネットワーク側からアンカー搬送波で伝送されるアンカー搬送波のマルチキャスト制御チャネルを受信することに用いられる第１情報を受信することと、前記第１情報に基づいて、前記アンカー搬送波でアンカー搬送波のマルチキャスト制御チャネルを受信することとを含む。
【００３７】
ノンアンカー搬送波のマルチキャスト制御チャネルを受信することに用いられる第２情報がネットワーク側からアンカー搬送波で伝送される場合に、ネットワーク側から搬送波で伝送されるマルチキャストサービスの関連情報を受信することは、ネットワーク側からアンカー搬送波で伝送されるノンアンカー搬送波のマルチキャスト制御チャネルを受信することに用いられる第２情報を受信することと、前記第２情報に基づいて、前記ノンアンカー搬送波でノンアンカー搬送波のマルチキャスト制御チャネルを受信することとを含む。
【００３８】
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送される。または、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される。
【００３９】
ネットワーク側からアンカー搬送波でアンカー搬送波のマルチキャストトラフィックチャネルが伝送される場合に、アンカー搬送波で伝送されるアンカー搬送波のマルチキャストトラフィックチャネルのスケジューリング情報も、ネットワーク側からアンカー搬送波のマルチキャストトラフィックチャネルで伝送される。
【００４０】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む。
【００４１】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む。
【００４２】
前記マルチキャストサービスの関連情報に基づいて、搬送波から目標搬送波を選択することは、端末が、ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定することと、端末の嗜好に合うマルチキャストサービスをサポートする搬送波を、目標搬送波として選択することとを含む。
【００４３】
前記マルチキャストサービスの関連情報に基づいて、搬送波から目標搬送波を選択することは、端末が、ネットワーク側からアンカー搬送波で放送され、マルチキャストサービスを伝送する搬送波の情報に基づいて、マルチキャストサービスをサポートする搬送波を選択することと、端末が、ネットワーク側からノンアンカー搬送波で伝送され、ノンアンカー搬送波にサポートされるマルチキャストサービス情報を、ノンアンカー搬送波のマルチキャスト制御チャネルで受信することと、端末の嗜好に合うマルチキャストサービスをサポートする搬送波を、目標搬送波として選択することとを含む。
【００４４】
端末の嗜好に合うマルチキャストサービスをサポートする搬送波を、目標搬送波として選択することは、端末が、マルチキャストサービスの受信とページングの受信が時間上衝突しない搬送波を優先的に目標搬送波として選択すること、または、端末が、端末の嗜好に合うマルチキャストサービスをサポートする搬送波をランダムに一つ選択して目標搬送波とすることを含む。
【００４５】
前記方法は、端末が、端末の嗜好に合うマルチキャストサービスのマルチキャストトラフィックチャネルを、前記目標搬送波で受信することをさらに含む。
【００４６】
端末が目標搬送波でマルチキャストサービスを受信する期間中に、搬送波で伝送されるマルチキャストサービスには、端末の嗜好に合うほかのマルチキャストサービスがある場合に、前記方法は、端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信すること、または、端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することをさらに含む。ここで、端末が、システム放送または所定の無線リソース制御メッセージによって、前記周期的な周期の長さを受信する。
【００４７】
アンカー搬送波のマルチキャスト制御チャネル更新指示を受信することに用いられる第３情報がネットワーク側からアンカー搬送波で送信される場合には、前記方法は、端末が、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することをさらに含む。
【００４８】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む。
【００４９】
ネットワーク側から異なるノンアンカー搬送波で同一のマルチキャストサービスが伝送される場合に、端末の嗜好に合うマルチキャストサービスをサポートする搬送波を、目標搬送波として選択することは、端末が、ネットワーク側から設定され、端末の嗜好に合うマルチキャストサービスをサポートする単一のノンアンカー搬送波を目標搬送波として選択することを含む。
【００５０】
選択された目標搬送波でマルチキャストサービスを受信した後に、前記方法は、端末が、選択された目標搬送波で、端末の嗜好に合うマルチキャストサービスを報告することをさらに含む。
【００５１】
本開示の実施例は、ネットワーク側に応用されるマルチキャストサービス伝送装置をさらに提供する。前記装置は、アンカー搬送波および／またはノンアンカー搬送波である搬送波でマルチキャストサービスの関連情報を伝送することに用いられる伝送モジュールを含む。
【００５２】
前記伝送モジュールは、ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第１伝送サブモジュールと、アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第２伝送サブモジュールとを含む。
【００５３】
前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第３伝送サブモジュールと、アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第４伝送サブモジュールとを含む。
【００５４】
前記伝送モジュールは、ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第５伝送サブモジュールと、アンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第６伝送サブモジュールとを含む。
【００５５】
前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第７伝送サブモジュールと、アンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することに用いられる第８伝送サブモジュールとを含む。
【００５６】
前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第９伝送サブモジュールと、アンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することに用いられる第１０伝送サブモジュールとを含む。
【００５７】
マルチキャストサービスをサポートするノンアンカー搬送波の情報は、前記アンカー搬送波のマルチキャスト制御チャネルにて運ばれている。
【００５８】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００５９】
前記伝送モジュールは、ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第１１伝送サブモジュールと、ノンアンカー搬送波のマルチキャスト制御チャネルを受信することに用いられる第２情報、および、ノンアンカー搬送波のマルチキャスト制御チャネル更新指示を受信することに用いられる第４情報をアンカー搬送波で伝送することに用いられる第１２伝送サブモジュールとを含む。
【００６０】
マルチキャストサービスをサポートするノンアンカー搬送波の情報は、ネットワーク側からアンカー搬送波で放送される。
【００６１】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００６２】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む。
【００６３】
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む。
【００６４】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む。
【００６５】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む。
【００６６】
本開示の実施例は、端末に応用されるマルチキャストサービス受信装置をさらに提供する。前記装置は、ネットワーク側からアンカー搬送波および／またはノンアンカー搬送波である搬送波で伝送されるマルチキャストサービスの関連情報を受信することに用いられる情報受信モジュールと、前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュールとを含む。
【００６７】
前記装置は、ノンアンカー搬送波のマルチキャスト制御チャネル更新指示を受信することに用いられる第４情報がネットワーク側からアンカー搬送波で送信される場合、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することに用いられる第１指示受信モジュールをさらに含む。
【００６８】
前記指示受信モジュールは、前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得ることに用いられる第１指示受信サブモジュール、または、前記第４情報に基づいて、所定の無線リソース制御メッセージを前記ノンアンカー搬送波で受信し、マルチキャスト制御チャネルの更新指示を解析して得ることに用いられる第２指示受信サブモジュールを含む。
【００６９】
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む。
【００７０】
サービス送信モジュールは、マルチキャストサービスをサポートするノンアンカー搬送波の情報をアンカー搬送波で受信することに用いられる情報受信サブモジュールと、マルチキャストサービスの関連情報、および、マルチキャストサービスをサポートするノンアンカー搬送波の情報に基づいて、マルチキャストサービスをサポートする搬送波を、目標搬送波として搬送波から選択することに用いられる搬送波選択サブモジュールとを含む。
【００７１】
情報受信サブモジュールは、ネットワーク側からアンカー搬送波で伝送されるアンカー搬送波のマルチキャスト制御チャネルには、マルチキャストサービスをサポートするノンアンカー搬送波の情報が運ばれている場合、搬送波で伝送される前記マルチキャストサービスの関連情報から、アンカー搬送波で伝送されるアンカー搬送波のマルチキャスト制御チャネルを選択することに用いられる情報選択ユニットと、前記アンカー搬送波のマルチキャスト制御チャネルを解析し、マルチキャストサービスをサポートするノンアンカー搬送波の情報を特定することに用いられる解析ユニットとを含む。
【００７２】
情報受信サブモジュールは、マルチキャストサービスをサポートするノンアンカー搬送波の情報がネットワーク側からアンカー搬送波で放送される場合、ネットワーク側から放送されるシステムメッセージを受信し、前記システムメッセージを解析して、マルチキャストサービスをサポートするノンアンカー搬送波の情報を特定することに用いられる放送受信ユニットを含む。
【００７３】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【００７４】
前記情報受信モジュールは、アンカー搬送波のマルチキャスト制御チャネル、および、アンカー搬送波のマルチキャスト制御チャネルを受信することに用いられる第１情報がネットワーク側からアンカー搬送波で伝送される場合、ネットワーク側からアンカー搬送波で伝送されるアンカー搬送波のマルチキャスト制御チャネルを受信することに用いられる第１情報を受信することに用いられる第１処理サブモジュールと、前記第１情報に基づいて、前記アンカー搬送波でアンカー搬送波のマルチキャスト制御チャネルを受信することに用いられる第２処理サブモジュールとを含む。
【００７５】
前記情報受信モジュールは、ノンアンカー搬送波のマルチキャスト制御チャネルを受信することに用いられる第２情報がネットワーク側からアンカー搬送波で伝送される場合、ネットワーク側からアンカー搬送波で伝送されるノンアンカー搬送波のマルチキャスト制御チャネルを受信することに用いられる第２情報を受信することに用いられる第３処理サブモジュールと、前記第２情報に基づいて、前記ノンアンカー搬送波でノンアンカー搬送波のマルチキャスト制御チャネルを受信することに用いられる第４処理サブモジュールとを含む。
【００７６】
ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送される。または、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される。
【００７７】
ネットワーク側からアンカー搬送波でアンカー搬送波のマルチキャストトラフィックチャネルが伝送される場合に、アンカー搬送波で伝送されるアンカー搬送波のマルチキャストトラフィックチャネルのスケジューリング情報も、ネットワーク側からアンカー搬送波のマルチキャストトラフィックチャネルで伝送される。
【００７８】
前記アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含む。
【００７９】
前記ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含む。
【００８０】
前記サービス送信モジュールは、ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定することに用いられる第５処理サブモジュールと、端末の嗜好に合うマルチキャストサービスをサポートする搬送波を、目標搬送波として選択することに用いられる第６処理サブモジュールとを含む。
【００８１】
前記サービス送信モジュールは、ネットワーク側からアンカー搬送波で放送され、マルチキャストサービスを伝送する搬送波の情報に基づいて、マルチキャストサービスをサポートする搬送波を選択することに用いられる第１搬送波選択サブモジュールと、ネットワーク側からノンアンカー搬送波で伝送され、ノンアンカー搬送波にサポートされるマルチキャストサービス情報を、ノンアンカー搬送波のマルチキャスト制御チャネルで受信することに用いられる情報受信サブモジュールと、端末の嗜好に合うマルチキャストサービスをサポートする搬送波を、目標搬送波として選択することに用いられる第２搬送波選択サブモジュールとを含む。
【００８２】
第６処理サブモジュールは、マルチキャストサービスの受信とページングの受信が時間上衝突しない搬送波を優先的に目標搬送波として選択することに用いられる第１選択ユニット、および／または、端末の嗜好に合うマルチキャストサービスをサポートする搬送波をランダムに一つ選択して目標搬送波とすることに用いられる第２選択ユニットを含む。
【００８３】
前記装置は、端末の嗜好に合うマルチキャストサービスのマルチキャストトラフィックチャネルを、前記目標搬送波で受信することに用いられるトラフィックチャネル受信モジュールをさらに含む。
【００８４】
前記装置は、端末が目標搬送波でマルチキャストサービスを受信する期間中に、搬送波で伝送されるマルチキャストサービスには、端末の嗜好に合うほかのマルチキャストサービスがある場合、端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第１選択モジュール、および／または、端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第２選択モジュールをさらに含む。ここで、端末が、システム放送または所定の無線リソース制御メッセージによって、前記周期的な周期の長さを受信する。
【００８５】
前記装置は、アンカー搬送波のマルチキャスト制御チャネル更新指示を受信することに用いられる第３情報がネットワーク側からアンカー搬送波で送信される場合、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することに用いられる第２指示受信モジュールをさらに含む。
【００８６】
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含む。
【００８７】
第６サブ処理モジュールは、ネットワーク側から異なるノンアンカー搬送波で同一のマルチキャストサービスが伝送される場合、ネットワーク側から設定され、端末の嗜好に合うマルチキャストサービスをサポートする単一のノンアンカー搬送波を目標搬送波として選択することに用いられる第３選択ユニットを含む。
【００８８】
前記装置は、選択された目標搬送波で、端末の嗜好に合うマルチキャストサービスを報告することに用いられる報告モジュールをさらに含む。
【００８９】
本開示の実施例は、ネットワーク側に応用されるマルチキャストサービス伝送装置をさらに提供する。前記装置は、プロセッサと、バスインタフェースを介して前記プロセッサに接続され、前記プロセッサによる操作実行に用いられるプログラムとデータを記憶するために用いられるメモリと、バスインタフェースを介してプロセッサに接続され、マルチキャストサービスおよびマルチキャストサービスの関連情報を送信することに用いられるトランシーバとを含む。プロセッサが、前記メモリに格納されているプログラムとデータを呼び出して実行すると、アンカー搬送波および／またはノンアンカー搬送波である搬送波でマルチキャストサービスの関連情報を伝送することに用いられる伝送モジュールが実現される。
【００９０】
本開示の実施例は、端末に応用されるマルチキャストサービス受信装置をさらに提供する。前記装置は、プロセッサと、バスインタフェースを介して前記プロセッサに接続され、前記プロセッサによる操作実行に用いられるプログラムとデータを記憶するために用いられるメモリと、バスインタフェースを介してプロセッサに接続され、マルチキャストサービスおよびマルチキャストサービスの関連情報を受信することに用いられるトランシーバとを含む。プロセッサが、前記メモリに格納されているプログラムとデータを呼び出して実行すると、ネットワーク側からアンカー搬送波および／またはノンアンカー搬送波である搬送波で伝送されるマルチキャストサービスの関連情報を受信することに用いられる情報受信モジュールと、前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュールが実現される。
【発明の効果】
【００９１】
本開示の実施例のマルチキャストサービス伝送方法、マルチキャストサービス受信方法および装置において、ネットワーク側から搬送波でマルチキャストサービスの関連情報を伝送することによって、端末が、マルチキャストサービスの関連情報に基づいて、端末の嗜好に合うマルチキャストサービスを、アンカー搬送波またはノンアンカー搬送波を選択して受信することができる。本開示の実施例は、マルチキャストサービスの伝送がノンアンカー搬送波にサポートされる場合、端末が、嗜好に合うマルチキャストサービスをサポートする対応する搬送波を選択してマルチキャストサービスを行うことができ、アンカー搬送波の負荷を軽減させるとともに、端末の具現複雑度を低下させることができる。
【図面の簡単な説明】
【００９２】
【図１】図１は、マルチキャストシステムの論理アークテクチャ図である。
【図２】図２は、本開示の一部実施例のマルチキャストサービス伝送方法の基本的なフローチャートである。
【図３】図３は、本開示の一部実施例のマルチキャストサービス受信方法の基本的なフローチャートである。
【図４】図４は、本開示の一部実施例のマルチキャストサービス伝送装置の構造図である。
【図５】図５は、本開示の一部実施例のマルチキャストサービス伝送装置および実施例６のマルチキャストサービス受信装置の構造図である。
【図６】図６は、本開示の一部実施例のマルチキャストサービス受信装置の構造図である。
【発明を実施するための形態】
【００９３】
本開示の解決しようとする技術課題、技術手段および利点をより明確にするために、以下図面および具体的な実施例に関連して詳細に記載する。
【００９４】
図２に示すように、本開示の一部実施例のネットワーク側のマルチキャストサービス伝送方法において、ネットワーク側から搬送波でマルチキャストサービスの関連情報を伝送するステップ２１を含む。ここで、前記搬送波は、アンカー搬送波および／またはノンアンカー搬送波である。
【００９５】
具体的に、本開示の実施例１において、ネットワーク側からマルチキャストサービスの関連情報の受信は、下記の６種類のシーンを含む。
【００９６】
シーン１：
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【００９７】
シーン２：
ネットワーク側からノンアンカー搬送波でノンアンカー搬送波のマルチキャストトラフィックチャネル、および、ノンアンカー搬送波のマルチキャスト制御チャネル更新指示を伝送する。ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【００９８】
シーン３：
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。ネットワーク側からアンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【００９９】
シーン４：
ネットワーク側からノンアンカー搬送波でノンアンカー搬送波のマルチキャストトラフィックチャネル、および、ノンアンカー搬送波のマルチキャスト制御チャネル更新指示を伝送する。ネットワーク側からアンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送する。
【０１００】
シーン５：
ネットワーク側からノンアンカー搬送波でノンアンカー搬送波のマルチキャストトラフィックチャネル、および、ノンアンカー搬送波のマルチキャスト制御チャネル更新指示を伝送する。ネットワーク側からアンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送する。
【０１０１】
シーン６：
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。ネットワーク側からアンカー搬送波で、ノンアンカー搬送波のマルチキャスト制御チャネルを受信することに用いられる第２情報、および、ノンアンカー搬送波のマルチキャスト制御チャネル更新指示を受信することに用いられる第４情報を伝送する。
【０１０２】
なお、上記シーン１〜６において、ネットワーク側から異なるノンアンカー搬送波で伝送されるマルチキャストサービスは、同じであってもよく異なってもよいが、ここでは具体的に限定しない。
【０１０３】
具体的に、本開示の実施例のシーン１〜４において、マルチキャストサービスをサポートするノンアンカー搬送波の情報は、前記アンカー搬送波のマルチキャスト制御チャネルにて運ばれている。シーン５において、マルチキャストサービスをサポートするノンアンカー搬送波の情報は、前記アンカー搬送波のマルチキャスト制御チャネルにて運ばれ、または、ネットワーク側からアンカー搬送波で放送される。シーン６において、マルチキャストサービスをサポートするノンアンカー搬送波の情報は、ネットワーク側からアンカー搬送波で放送される。
【０１０４】
さらに、前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス（Ｉｎｄｅｘ）、ダウンリンク利用可能なサブフレームのビットマップ（ｂｉｔｍａｐ）構成、ダウンリンクｇａｐ構成、インバンド（ｉｎｂａｎｄ）搬送波情報を含む。
【０１０５】
具体的に、本開示の実施例において、アンカー搬送波のマルチキャスト制御チャネルを受信することに用いられる第１情報は、アンカー搬送波のマルチキャスト制御チャネルの繰り返し周期、オフセット、開始サブフレーム、時間の長さおよび更新周期を含む。
【０１０６】
具体的に、本開示の実施例１において、ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さおよび更新周期を含む。
【０１０７】
具体的に、本開示の実施例において、アンカー搬送波のマルチキャスト制御チャネル更新指示を受信することに用いられる第３情報は、アンカー搬送波のマルチキャスト制御チャネル更新指示の繰り返し周期、オフセット、開始サブフレームおよび時間の長さを含む。
【０１０８】
具体的に、本開示の実施例において、ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレームおよび時間の長さを含む。
【０１０９】
上述したように、本開示の実施例において、マルチキャストサービスがノンアンカー搬送波でサポートされる場合、ネットワーク側からアンカー搬送波とノンアンカー搬送波でマルチキャストサービスの関連情報を伝送し、アンカー搬送波の負荷を軽減させることができる。
【０１１０】
図３に示すように、本開示の一部実施例の端末に応用されるマルチキャストサービス受信方法において、ネットワーク側からアンカー搬送波および／またはノンアンカー搬送波である搬送波で伝送されるマルチキャストサービスの関連情報を受信するステップ３１と、前記マルチキャストサービスの関連情報に基づいて、搬送波から、アンカー搬送波またはノンアンカー搬送波である目標搬送波を選択し、選択された目標搬送波でマルチキャストサービスを受信するステップ３２とを含む。
【０１１１】
本実施例において、ネットワーク側からアンカー搬送波およびノンアンカー搬送波でマルチキャストサービスの関連情報を伝送する場合、端末は、自ら目標搬送波を一つ選択して目標搬送波でマルチキャストサービスを受信する。具体的な応用において、ネットワーク側からシーン１と２でマルチキャストサービスの関連情報を伝送する場合、端末は、嗜好に合うマルチキャストサービスをアンカー搬送波またはノンアンカー搬送波で受信する。ネットワーク側でシーン３〜６が用いられる場合、端末は、嗜好に合うマルチキャストサービスをノンアンカー搬送波でしか受信できない。
【０１１２】
具体的に、本実施例において、ネットワーク側のすべてのシーンで、すなわち、ノンアンカー搬送波のマルチキャスト制御チャネル更新指示を受信することに用いられる第４情報がネットワーク側からアンカー搬送波で送信される場合、端末がマルチキャストサービスを受信する方法は、端末が、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信するステップ３３をさらに含む。
【０１１３】
具体的に、ステップ３３は、前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得るステップ３３１、または、前記第４情報に基づいて、所定の無線リソース制御メッセージを前記ノンアンカー搬送波で受信し、マルチキャスト制御チャネルの更新指示を解析して得るステップ３３２を含む。
【０１１４】
すなわち、当該マルチキャスト制御チャネルの更新指示は、ＳＣ−Ｎ−ＲＮＴＩでスクランブルされるＰＤＣＣＨ、または、専用のＲＲＣメッセージによって通知される。
【０１１５】
選択可能に、ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレームおよび時間の長さを含む。
【０１１６】
さらに、すべてのノンアンカー搬送波でマルチキャストサービスがサポートされるのではないため、端末が目標搬送波を選択する際に、マルチキャストサービスをサポート可能なノンアンカー搬送波の情報を把握する必要があり、端末による目標搬送波の選択に役立つ。本開示の一部実施例において、ステップ３２は、端末が、マルチキャストサービスをサポートするノンアンカー搬送波の情報をアンカー搬送波で受信するステップ３２１と、端末が、マルチキャストサービスの関連情報、および、マルチキャストサービスをサポートするノンアンカー搬送波の情報に基づいて、マルチキャストサービスをサポートする搬送波を、目標搬送波として搬送波から選択するステップ３２２とを含む。なお、選択される目標搬送波は、１つであってもよく複数であってもよい。
【０１１７】
具体的に、マルチキャストサービスをサポートするノンアンカー搬送波の情報は、２種類の方式でアンカー搬送波で伝送される。伝送方式１において、ネットワーク側からアンカー搬送波で伝送されるアンカー搬送波のマルチキャスト制御チャネルには、マルチキャストサービスをサポートするノンアンカー搬送波の情報が運ばれている場合、すなわちネットワーク側でシーン１〜５のいずれが用いられる場合、ステップ３２１は、端末が、搬送波で伝送される前記マルチキャストサービスの関連情報から、アンカー搬送波で伝送されるアンカー搬送波のマルチキャスト制御チャネルを選択し、前記アンカー搬送波のマルチキャスト制御チャネルを解析し、マルチキャストサービスをサポートするノンアンカー搬送波の情報を特定することを含む。
【０１１８】
伝送方式２において、マルチキャストサービスをサポートするノンアンカー搬送波の情報がネットワーク側からアンカー搬送波で放送される場合、すなわち、ネットワーク側でシーン５または６が用いられる場合、ステップ３２１は、端末が、ネットワーク側から放送されるシステムメッセージを受信し、前記システムメッセージを解析し、マルチキャストサービスをサポートするノンアンカー搬送波の情報を特定することを含む。
【０１１９】
選択可能に、前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【０１２０】
なお、マルチキャストサービスのマルチキャスト制御チャネルは、マルチキャストトラフィックチャネルに対するスケジューリングが運ばれることに類似し、アンカー搬送波のマルチキャスト制御チャネル、および、アンカー搬送波のマルチキャスト制御チャネルを受信することに用いられる第１情報がネットワーク側からアンカー搬送波で伝送される場合、前記ステップ３１は、ネットワーク側からアンカー搬送波で伝送されるアンカー搬送波のマルチキャスト制御チャネルを受信することに用いられる第１情報を受信するステップ３１１と、前記第１情報に基づいて、前記アンカー搬送波でアンカー搬送波のマルチキャスト制御チャネルを受信するステップ３１２とを含む。
【０１２１】
または、ノンアンカー搬送波のマルチキャスト制御チャネルを受信することに用いられる第２情報がネットワーク側からアンカー搬送波で伝送される場合、ステップ３１は、ネットワーク側からアンカー搬送波で伝送されるノンアンカー搬送波のマルチキャスト制御チャネルを受信することに用いられる第２情報を受信するステップ３１３と、前記第２情報に基づいて、前記ノンアンカー搬送波でノンアンカー搬送波のマルチキャスト制御チャネルを受信するステップ３１４とを含む。
【０１２２】
なお、本開示の実施例において、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送される。または、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される。
【０１２３】
さらに、本開示の実施例において、ネットワーク側からアンカー搬送波でアンカー搬送波のマルチキャストトラフィックチャネルが伝送される場合、アンカー搬送波で伝送されるアンカー搬送波のマルチキャストトラフィックチャネルのスケジューリング情報も、ネットワーク側からアンカー搬送波のマルチキャストトラフィックチャネルで伝送される。
【０１２４】
選択可能に、アンカー搬送波のマルチキャスト制御チャネルを受信することに用いられる第１情報は、アンカー搬送波のマルチキャスト制御チャネルの繰り返し周期、オフセット、開始サブフレーム、時間の長さおよび更新周期を含む。
【０１２５】
選択可能に、ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さおよび更新周期を含む。
【０１２６】
本開示の一部実施例の別の実現方式において、ステップ３２は、端末が、ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定するステップ３２３と、端末の嗜好に合うマルチキャストサービスをサポートする搬送波を、目標搬送波として選択するステップ３２４とを含む。
【０１２７】
または、ステップ３２は、端末が、ネットワーク側からアンカー搬送波で放送され、マルチキャストサービスを伝送する搬送波の情報に基づいて、マルチキャストサービスをサポートする搬送波を選択するステップ３２５と、端末が、ネットワーク側からノンアンカー搬送波で伝送され、ノンアンカー搬送波にサポートされるマルチキャストサービス情報を、ノンアンカー搬送波のマルチキャスト制御チャネルで受信するステップ３２６と、端末の嗜好に合うマルチキャストサービスをサポートする搬送波を、目標搬送波として選択するステップ３２７とを含む。
【０１２８】
具体的に、ステップ３２４またはステップ３２７は、端末が、マルチキャストサービスの受信とページングの受信が時間上衝突しない搬送波を優先的に目標搬送波として選択すること、または、端末が、端末の嗜好に合うマルチキャストサービスをサポートする搬送波をランダムに一つ選択して目標搬送波とすることを含む。
【０１２９】
なお、端末が目標搬送波を特定した後に、当該方法は、端末が、端末の嗜好に合うマルチキャストサービスのマルチキャストトラフィックチャネルを、前記目標搬送波で受信するステップをさらに含む。
【０１３０】
なお、本開示の一部実施例において、端末が目標搬送波でマルチキャストサービスを受信する期間中に、搬送波で伝送されるマルチキャストサービスには、端末の嗜好に合うほかのマルチキャストサービスがある場合、前記方法は、端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信すること、または、端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することをさらに含む。ここで、端末は、システム放送または所定の無線リソース制御メッセージによって、前記周期的な周期の長さを受信する。
【０１３１】
具体的に、アンカー搬送波のマルチキャスト制御チャネル更新指示を受信することに用いられる第３情報がネットワーク側からアンカー搬送波で送信される場合、前記方法は、端末が、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することをさらに含む。
【０１３２】
具体的に、アンカー搬送波のマルチキャスト制御チャネル更新指示を受信することに用いられる第３情報は、アンカー搬送波のマルチキャスト制御チャネル更新指示の繰り返し周期、オフセット、開始サブフレームおよび時間の長さを含む。
【０１３３】
具体的に、ネットワーク側から異なるノンアンカー搬送波で同一のマルチキャストサービスが伝送される場合（すなわちネットワーク側でシーン５または６が用いられる場合）、端末の嗜好に合うマルチキャストサービスをサポートする搬送波を、目標搬送波として選択するステップは、端末が、ネットワーク側から設定され、端末の嗜好に合うマルチキャストサービスをサポートする単一のノンアンカー搬送波を目標搬送波として選択することを含む。
【０１３４】
さらに、選択された目標搬送波でマルチキャストサービスを受信した後に、前記方法は、端末が、選択された目標搬送波で、端末の嗜好に合うマルチキャストサービスを報告するステップをさらに含む。
【０１３５】
上述したように、本開示のマルチキャストサービス伝送方法およびマルチキャストサービス受信方法をより明確に記載するために、以下、６種類のシーンにおいて、端末がどのようにマルチキャストサービスを受信するかを詳細に記載する。
例１：
【０１３６】
シーン１において、ネットワーク側から異なるノンアンカー搬送波で伝送されるマルチキャストサービスは、同じであってもよく異なってもよいが、ここでは具体的に限定しない。ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【０１３７】
ステップ４１において、端末は、ａｎｃｈｏｒ搬送波で送信され、ＳＣ−ＭＣＣＨ更新指示を受信することに用いられる情報、ＳＣ−ＭＣＣＨ更新指示、ＳＣ−ＭＣＣＨを受信することに用いられる情報、およびＳＣ−ＭＣＣＨを受信して記憶する。ここで、ＳＣ−ＭＣＣＨ更新指示を受信することに用いられる情報は、各搬送波で送信されるＳＣ−ＭＣＣＨ更新指示の繰り返し周期、オフセット、開始サブフレームおよび時間の長さを含むが、それらに限定されず、ａｎｃｈｏｒ搬送波で送信されるすべての搬送波のＳＣ−ＭＣＣＨ更新指示の繰り返し周期、オフセット、開始サブフレームおよび時間の長さをさらに含む可能性もある。ここで、ＳＣ−ＭＣＣＨ更新指示は、ａｎｃｈｏｒ搬送波のＳＣ−ＭＣＣＨの更新指示とすべての搬送波のＳＣ−ＭＣＣＨの更新指示を含む。ＳＣ−ＭＣＣＨを受信することに用いられる情報は、ａｎｃｈｏｒ搬送波と、ＳＣ−ＰＴＭサービスをサポートする各ｎｏｎ−ａｎｃｈｏｒ搬送波で伝送されるＳＣ−ＭＣＣＨの繰り返し周期、オフセット、開始サブフレーム、時間の長さおよび更新周期を含むが、それらに限定されない。ＳＣ−ＭＣＣＨで送信される情報は、ネットワークにサポートされるＳＣ−ＰＴＭサービスのＰＬＭＮ識別子、ＴＭＧＩ、あるＳＣ−ＰＴＭサービスを伝送することに用いられる搬送波情報、および、アンカー搬送波で伝送されるＳＣ−ＭＴＣＨのスケジューリング情報を含むが、それらに限定されない。ＳＣ−ＰＴＭサービス情報は、ＰＬＭＮ識別子、ＴＭＧＩ、あるＳＣ−ＰＴＭサービスを伝送することに用いられる搬送波情報を含むが、それらに限定されない。ＳＣ−ＰＴＭサービスをサポートするｎｏｎ−ａｎｃｈｏｒ搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されない。
【０１３８】
ステップ４２において、ステップ４１で端末が受信したＳＣ−ＰＴＭサービスには、端末の嗜好に合うＳＣ−ＰＴＭサービスが存在し、かつ端末が、端末の嗜好に合うＳＣ−ＰＴＭサービスをサポートする搬送波で動作可能である場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信し、ステップ４３ａまたはステップ４３ｂまたはステップ４４へ進む。それ以外の場合、端末は、従来のフローにしたがって、端末の嗜好に合うＳＣ−ＰＴＭサービスをユニキャスト方式で取得し、当該フローではステップ４４を実行することができる。
【０１３９】
ステップ４３ａにおいて、端末がｎｏｎ−ａｎｃｈｏｒ搬送波でＳＣ−ＰＴＭサービスを受信する場合、
端末が、ステップ４１のＳＣ−ＭＣＣＨ更新指示を受信することに用いられる情報に基づいて、ｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。ＳＣ−ＭＣＣＨの更新を指示する場合、端末は、ｎｏｎ−ａｎｃｈｏｒ搬送波でＳＣ−ＭＣＣＨ情報を更新する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。または、端末は、ｎｏｎ−ａｎｃｈｏｒ搬送波でＳＣ−ＭＣＣＨ更新指示を受信しなかった場合、ｎｏｎ−ａｎｃｈｏｒ搬送波で元のＳＣ−ＭＣＣＨ情報を使用する。
端末は、ｎｏｎ−ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１４０】
ステップ４３ｂにおいて、端末がａｎｃｈｏｒ搬送波でＳＣ−ＰＴＭサービスを受信する場合、
端末が、ａｎｃｈｏｒ搬送波で送信されるＳＣ−ＭＣＣＨのＳＣ−ＭＣＣＨ更新指示をａｎｃｈｏｒ搬送波で受信した場合、当該指示は、ＳＣ−Ｎ−ＲＮＴＩでスクランブルされるＰＤＣＣＨ、または専用のＲＲＣメッセージによって通知される。ＳＣ−ＭＣＣＨの更新を指示する場合、端末は、ＳＣ−ＭＣＣＨ情報を更新する。更新後のＳＣ−ＭＣＣＨでの情報によって、当該搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。または、端末は、ａｎｃｈｏｒ搬送波で送信されるＳＣ−ＭＣＣＨのＳＣ−ＭＣＣＨ更新指示をａｎｃｈｏｒ搬送波で受信しなかった場合、ａｎｃｈｏｒ搬送波で元のＳＣ−ＭＣＣＨ情報を使用する。
端末は、ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１４１】
ステップ４４において、端末の嗜好に合うほかのＳＣ−ＰＴＭサービスがある場合、
端末は、ステップ４１のＳＣ−ＭＣＣＨ更新指示を受信することに用いられる情報（ａｎｃｈｏｒ搬送波で送信されるすべての搬送波のＳＣ−ＭＣＣＨ更新指示の繰り返し周期、オフセット、開始サブフレームおよび時間の長さなど）を用いて、ａｎｃｈｏｒ搬送波でＳＣ−ＭＣＣＨ更新指示を受信し、ステップ４１のＳＣ−ＭＣＣＨを受信することに用いられる情報を用いて、ＳＣ−ＭＣＣＨで送信され、ネットワーク側のすべての搬送波にサポートされるＳＣ−ＰＴＭサービスを受信し、嗜好に合うＳＣ−ＰＴＭサービスがないかを判断し、端末の嗜好に合うＳＣ−ＰＴＭサービスがあれば、ステップ４２〜ステップ４４を繰り返すが、それ以外の場合、現在の処理を継続させる。
または、端末は、最新のＳＣ−ＭＣＣＨで送信され、ネットワーク側のすべての搬送波にサポートされるＳＣ−ＰＴＭサービス情報をａｎｃｈｏｒ搬送波で定時的に受信し、嗜好に合うＳＣ−ＰＴＭサービスがないかを判断し、端末の嗜好に合うＳＣ−ＰＴＭサービスがあれば、ステップ４２〜ステップ４４を繰り返すが、それ以外の場合、現在の処理を継続させる。上記定時情報は、システムの放送によって端末に通知され、または、専用のＲＲＣメッセージによって端末に通知される。
【０１４２】
なお、上記ステップのうち、ステップ４３ａまたはステップ４３ｂは、ステップ４４と並行してもよく、実行に前後順がない。
例２：
【０１４３】
シーン２において、ネットワーク側から異なるノンアンカー搬送波で伝送されるマルチキャストサービスは、同じであってもよく異なってもよいが、ここでは具体的に限定しない。
ネットワーク側からノンアンカー搬送波でノンアンカー搬送波のマルチキャストトラフィックチャネル、および、ノンアンカー搬送波のマルチキャスト制御チャネル更新指示を伝送する。ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【０１４４】
ステップ５１において、端末は、ａｎｃｈｏｒ搬送波で送信され、ＳＣ−ＭＣＣＨ更新指示を受信することに用いられる情報、ＳＣ−ＭＣＣＨ更新指示およびＳＣ−ＭＣＣＨを受信して記憶する。ここで、ＳＣ−ＭＣＣＨ更新指示を受信することに用いられる情報は、各搬送波で送信されるＳＣ−ＭＣＣＨ更新指示の繰り返し周期、オフセット、開始サブフレームおよび時間の長さを含むが、それらに限定されず、ａｎｃｈｏｒ搬送波で送信されるすべての搬送波のＳＣ−ＭＣＣＨ更新指示の繰り返し周期、オフセット、開始サブフレームおよび時間の長さも含む。ここで、ＳＣ−ＭＣＣＨ更新指示は、ａｎｃｈｏｒ搬送波のＳＣ−ＭＣＣＨの更新指示とすべての搬送波のＳＣ−ＭＣＣＨの更新指示を含む。ＳＣ−ＭＣＣＨを受信することに用いられる情報は、ａｎｃｈｏｒ搬送波で伝送されるＳＣ−ＭＣＣＨの繰り返し周期、オフセット、開始サブフレーム、時間の長さおよび更新周期を含むが、それらに限定されない。ＳＣ−ＭＣＣＨで送信される情報は、ネットワークにサポートされるＳＣ−ＰＴＭサービスのＰＬＭＮ識別子、ＴＭＧＩ、あるＳＣ−ＰＴＭサービスを伝送することに用いられる搬送波情報、および、各搬送波で伝送されるＳＣ−ＭＴＣＨのスケジューリング情報を含むが、それらに限定されない。ＳＣ−ＰＴＭサービスをサポートするｎｏｎ−ａｎｃｈｏｒ搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されない。
【０１４５】
ステップ５２において、ステップ５１で端末が受信したＳＣ−ＰＴＭサービスには、端末の嗜好に合うＳＣ−ＰＴＭサービスが存在し、かつ端末が、端末の嗜好に合うＳＣ−ＰＴＭサービスをサポートする搬送波で動作可能である場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信し、ステップ５３ａまたはステップ５３ｂまたはステップ５４へ進む。それ以外の場合、端末は、従来のフローにしたがって、端末の嗜好に合うＳＣ−ＰＴＭサービスをユニキャスト方式で取得し、当該フローではステップ５４を実行することができる。
【０１４６】
ステップ５３ａにおいて、端末がｎｏｎ−ａｎｃｈｏｒ搬送波でＳＣ−ＰＴＭサービスを受信する場合、
端末が、ステップ５１のＳＣ−ＭＣＣＨ更新指示を受信することに用いられる情報に基づいて、ｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。当該指示は、現在、ｎｏｎ−ａｎｃｈｏｒ搬送波でのＳＣ−ＰＴＭ設定に変化があるかを示す指示である。ＳＣ−ＭＣＣＨの更新を指示する場合、端末は、ａｎｃｈｏｒ搬送波でＳＣ−ＭＣＣＨ情報を更新する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。または、端末は、ｎｏｎ−ａｎｃｈｏｒ搬送波でＳＣ−ＭＣＣＨ更新指示を受信しなかった場合、ｎｏｎ−ａｎｃｈｏｒ搬送波で元のＳＣ−ＭＣＣＨ情報を使用する。
端末は、ｎｏｎ−ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１４７】
ステップ５３ｂにおいて、端末がａｎｃｈｏｒ搬送波でＳＣ−ＰＴＭサービスを受信する場合、
端末が、ａｎｃｈｏｒ搬送波のＳＣ−ＭＣＣＨ更新指示をａｎｃｈｏｒ搬送波で受信した場合、当該指示は、ＳＣ−Ｎ−ＲＮＴＩでスクランブルされるＰＤＣＣＨ、または専用のＲＲＣメッセージによって通知される。当該指示は、現在、ａｎｃｈｏｒ搬送波でのＳＣ−ＰＴＭ設定に変化があるかの指示である。ＳＣ−ＭＣＣＨの更新を指示する場合、端末は、ＳＣ−ＭＣＣＨ情報を更新する。更新後のＳＣ−ＭＣＣＨでの情報によって、当該搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、当該搬送波でのＳＣ−ＰＴＭサービスの受信を停止させる。または、端末は、ａｎｃｈｏｒ搬送波で送信されるＳＣ−ＭＣＣＨのＳＣ−ＭＣＣＨ更新指示をａｎｃｈｏｒ搬送波で受信しなかった場合、ａｎｃｈｏｒ搬送波で元のＳＣ−ＭＣＣＨ情報を使用する。
端末は、ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１４８】
ステップ５４において、端末の嗜好に合うほかのＳＣ−ＰＴＭサービスがある場合、
端末は、ステップ５１のＳＣ−ＭＣＣＨ更新指示を受信することに用いられる情報（当該情報は、ａｎｃｈｏｒ搬送波で送信されるすべての搬送波のＳＣ−ＭＣＣＨ更新指示の繰り返し周期、オフセット、開始サブフレームおよび時間の長さを含むが、それらに限定されない。）を用いて、ａｎｃｈｏｒ搬送波でＳＣ−ＭＣＣＨ更新指示を受信し、ステップ１のＳＣ−ＭＣＣＨを受信することに用いられる情報を用いて、ＳＣ−ＭＣＣＨで送信され、ネットワーク側のすべての搬送波にサポートされるＳＣ−ＰＴＭサービスを受信し、嗜好に合うＳＣ−ＰＴＭサービスがないかを判断し、端末の嗜好に合うＳＣ−ＰＴＭサービスがあれば、ステップ５２〜ステップ５４を繰り返すが、それ以外の場合、現在の処理を継続させる。
または、端末は、最新のＳＣ−ＭＣＣＨで送信され、ネットワーク側のすべての搬送波にサポートされるＳＣ−ＰＴＭサービス情報をａｎｃｈｏｒ搬送波で定時的に受信し、嗜好に合うＳＣ−ＰＴＭサービスがないかを判断し、端末の嗜好に合うＳＣ−ＰＴＭサービスがあれば、ステップ５２〜ステップ５４を繰り返すが、それ以外の場合、現在の処理を継続させる。上記定時情報は、システムの放送によって端末に通知され、または、専用のＲＲＣメッセージによって端末に通知される。
【０１４９】
なお、上記ステップのうち、ステップ５３ａまたはステップ５３ｂは、ステップ５４と並行してもよく、実行に前後順がない。
例３：
【０１５０】
シーン３において、ネットワーク側から異なるノンアンカー搬送波で伝送されるマルチキャストサービスは、同じであってもよく異なってもよいが、ここでは具体的に限定しない。
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。
ネットワーク側からアンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送する。
【０１５１】
ステップ６１において、端末は、ａｎｃｈｏｒ搬送波で送信され、ＳＣ−ＭＣＣＨ更新指示を受信することに用いられる情報、ＳＣ−ＭＣＣＨ更新指示、ＳＣ−ＭＣＣＨを受信することに用いられる情報およびＳＣ−ＭＣＣＨを受信して記憶する。ここで、ＳＣ−ＭＣＣＨ更新指示を受信することに用いられる情報は、各搬送波で送信されるＳＣ−ＭＣＣＨ更新指示の繰り返し周期、オフセット、開始サブフレームおよび時間の長さを含むが、それらに限定されず、ａｎｃｈｏｒ搬送波で送信されるすべての搬送波のＳＣ−ＭＣＣＨ更新指示の繰り返し周期、オフセット、開始サブフレームおよび時間の長さをさらに含む可能性もある。ここで、ＳＣ−ＭＣＣＨ更新指示は、ａｎｃｈｏｒ搬送波のＳＣ−ＭＣＣＨの更新指示である。ＳＣ−ＭＣＣＨを受信することに用いられる情報は、ａｎｃｈｏｒ搬送波と、ＳＣ−ＰＴＭサービスをサポートする各ｎｏｎ−ａｎｃｈｏｒ搬送波で伝送されるＳＣ−ＭＣＣＨの繰り返し周期、オフセット、開始サブフレーム、時間の長さおよび更新周期を含むが、それらに限定されない。ＳＣ−ＭＣＣＨで送信される情報は、ネットワークにサポートされるＳＣ−ＰＴＭサービスのＰＬＭＮ識別子、ＴＭＧＩ、あるＳＣ−ＰＴＭサービスを伝送することに用いられる搬送波情報を含むが、それらに限定されない。搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されない。
【０１５２】
ステップ６２において、ステップ６１で端末が受信したＳＣ−ＰＴＭサービスには、端末の嗜好に合うＳＣ−ＰＴＭサービスが存在し、かつ端末が、端末の嗜好に合うＳＣ−ＰＴＭサービスをサポートする搬送波で動作可能である場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信し、ステップ６３またはステップ６４へ進む。それ以外の場合、端末は、従来のフローにしたがって、端末の嗜好に合うＳＣ−ＰＴＭサービスをユニキャスト方式で取得し、当該フローではステップ６４を実行することができる。
【０１５３】
ステップ６３において、端末がｎｏｎ−ａｎｃｈｏｒ搬送波でＳＣ−ＰＴＭサービスを受信する場合、
端末が、ステップ６１のＳＣ−ＭＣＣＨ更新指示を受信することに用いられる情報に基づいて、ｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。ＳＣ−ＭＣＣＨの更新を指示する場合、端末は、ＳＣ−ＭＣＣＨ情報を更新する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。または、端末は、ｎｏｎ−ａｎｃｈｏｒ搬送波でＳＣ−ＭＣＣＨ更新指示を受信しなかった場合、ｎｏｎ−ａｎｃｈｏｒ搬送波で元のＳＣ−ＭＣＣＨ情報を使用する。
端末は、ｎｏｎ−ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１５４】
ステップ６４において、端末の嗜好に合うほかのＳＣ−ＰＴＭサービスがある場合、
端末は、ステップ６１のＳＣ−ＭＣＣＨ更新指示を受信することに用いられる情報（ａｎｃｈｏｒ搬送波で送信されるすべての搬送波のＳＣ−ＭＣＣＨ更新指示の繰り返し周期、オフセット、開始サブフレームおよび時間の長さなど）を用いて、ａｎｃｈｏｒ搬送波でＳＣ−ＭＣＣＨ更新指示を受信し、ステップ１のａｎｃｈｏｒ搬送波のＳＣ−ＭＣＣＨを受信することに用いられる情報を用いて、ＳＣ−ＭＣＣＨで送信され、ネットワーク側のすべての搬送波にサポートされるＳＣ−ＰＴＭサービスを受信し、嗜好に合うＳＣ−ＰＴＭサービスがないかを判断し、端末の嗜好に合うＳＣ−ＰＴＭサービスがあれば、ステップ６２〜ステップ６４を繰り返すが、それ以外の場合、現在の処理を継続させる。
または、端末は、最新のＳＣ−ＭＣＣＨで送信され、ネットワーク側のすべての搬送波にサポートされるＳＣ−ＰＴＭサービス情報をａｎｃｈｏｒ搬送波で定時的に受信し、嗜好に合うＳＣ−ＰＴＭサービスがないかを判断し、端末の嗜好に合うＳＣ−ＰＴＭサービスがあれば、ステップ６２〜ステップ６４を繰り返すが、それ以外の場合、現在の処理を継続させる。上記定時情報は、システムの放送によって端末に通知され、または、専用のＲＲＣメッセージによって端末に通知される。
【０１５５】
なお、上記ステップのうち、ステップ６３は、ステップ６４と並行してもよく、実行に前後順がない。
例４：
【０１５６】
シーン４において、ネットワーク側から異なるノンアンカー搬送波で伝送されるマルチキャストサービスは、同じであってもよく異なってもよいが、ここでは具体的に限定しない。
ネットワーク側からノンアンカー搬送波でノンアンカー搬送波のマルチキャストトラフィックチャネル、および、ノンアンカー搬送波のマルチキャスト制御チャネル更新指示を伝送する。
ネットワーク側からアンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送する。
【０１５７】
ステップ７１において、端末は、ａｎｃｈｏｒ搬送波で送信され、ａｎｃｈｏｒ搬送波のＳＣ−ＭＣＣＨ更新指示を受信することに用いられる情報、ＳＣ−ＭＣＣＨ更新指示、ｎｏｎ−ａｎｃｈｏｒ搬送波のＳＣ−ＭＣＣＨ更新指示を受信することに用いられる情報およびＳＣ−ＭＣＣＨを受信して記憶する。ここで、ｎｏｎ−ａｎｃｈｏｒ搬送波のＳＣ−ＭＣＣＨ更新指示を受信することに用いられる情報は、ＳＣ−ＰＴＭサービスをサポートするｎｏｎ−ａｎｃｈｏｒ搬送波で送信されるＳＣ−ＭＣＣＨ更新指示の繰り返し周期、オフセット、開始サブフレームおよび時間の長さを含むが、それらに限定されない。ａｎｃｈｏｒ搬送波のＳＣ−ＭＣＣＨ更新指示を受信することに用いられる情報は、ａｎｃｈｏｒ搬送波で送信されるＳＣ−ＭＣＣＨ更新指示の繰り返し周期、オフセット、開始サブフレームおよび時間の長さを含む。ＳＣ−ＭＣＣＨ更新指示は、ａｎｃｈｏｒ搬送波でのＳＣ−ＭＣＣＨの更新指示を含む。ＳＣ−ＭＣＣＨを受信することに用いられる情報は、ａｎｃｈｏｒ搬送波で伝送されるＳＣ−ＭＣＣＨの繰り返し周期、オフセット、開始サブフレーム、時間の長さおよび更新周期を含むが、それらに限定されない。ＳＣ−ＭＣＣＨで送信される情報は、ネットワークにサポートされるＳＣ−ＰＴＭサービスのＰＬＭＮ識別子、ＴＭＧＩ、あるＳＣ−ＰＴＭサービスを伝送することに用いられる搬送波情報、および、ＳＣ−ＰＴＭサービスをサポートするｎｏｎ−ａｎｃｈｏｒ搬送波で伝送されるＳＣ−ＭＴＣＨのスケジューリング情報を含むが、それらに限定されない。あるＳＣ−ＰＴＭサービスを伝送することに用いられる搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されない。
【０１５８】
ステップ７２において、ステップ７１で端末が受信したＳＣ−ＰＴＭサービスには、端末の嗜好に合うＳＣ−ＰＴＭサービスが存在し、かつ端末が、端末の嗜好に合うＳＣ−ＰＴＭサービスをサポートする搬送波で動作可能である場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信し、ステップ７３またはステップ７４へ進む。それ以外の場合、端末は、従来のフローにしたがって、端末の嗜好に合うＳＣ−ＰＴＭサービスをユニキャスト方式で取得し、当該フローではステップ７４を実行することができる。
【０１５９】
ステップ７３において、端末がｎｏｎ−ａｎｃｈｏｒ搬送波でＳＣ−ＰＴＭサービスを受信する場合、
端末が、ステップ７１のｎｏｎ−ａｎｃｈｏｒ搬送波のＳＣ−ＭＣＣＨ更新指示を受信することに用いられる情報に基づいて、ｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。当該指示は、現在、ｎｏｎ−ａｎｃｈｏｒ搬送波でのＳＣ−ＰＴＭ設定に変化があるかの指示である。ＳＣ−ＭＣＣＨの更新を指示する場合、端末は、ａｎｃｈｏｒ搬送波でＳＣ−ＭＣＣＨ情報を更新する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。または、端末は、ｎｏｎ−ａｎｃｈｏｒ搬送波でＳＣ−ＭＣＣＨ更新指示を受信しなかった場合、ｎｏｎ−ａｎｃｈｏｒ搬送波で元のＳＣ−ＭＣＣＨ情報を使用する。
端末は、ｎｏｎ−ａｎｃｈｏｒ搬送波で、端末の嗜好に合うＳＣ−ＰＴＭサービスを従来の手法で報告する。
端末は、取得したＳＣ−ＭＣＣＨで送信されるＳＣ−ＭＴＣＨ関連情報に基づいて、ＳＣ−ＭＴＣＨを受信する。
【０１６０】
ステップ７４において、端末の嗜好に合うほかのＳＣ−ＰＴＭサービスがある場合、
端末は、ステップ７１のａｎｃｈｏｒ搬送波のＳＣ−ＭＣＣＨ更新指示を受信することに用いられる情報（ａｎｃｈｏｒ搬送波で送信されるすべての搬送波のＳＣ−ＭＣＣＨ更新指示の繰り返し周期、オフセット、開始サブフレームおよび時間の長さなど）を用いて、ａｎｃｈｏｒ搬送波でＳＣ−ＭＣＣＨ更新指示を受信し、ステップ１のＳＣ−ＭＣＣＨを受信することに用いられる情報を用いて、ＳＣ−ＭＣＣＨで送信され、ネットワーク側のすべての搬送波にサポートされるＳＣ−ＰＴＭサービスを受信し、嗜好に合うＳＣ−ＰＴＭサービスがないかを判断し、端末の嗜好に合うＳＣ−ＰＴＭサービスがあれば、ステップ７２〜ステップ７４を繰り返すが、それ以外の場合、現在の処理を継続させる。
または、端末は、最新のＳＣ−ＭＣＣＨで送信され、ネットワーク側のすべての搬送波にサポートされるＳＣ−ＰＴＭサービス情報をａｎｃｈｏｒ搬送波で定時的に受信し、嗜好に合うＳＣ−ＰＴＭサービスがないかを判断し、端末の嗜好に合うＳＣ−ＰＴＭサービスがあれば、ステップ７２〜ステップ７４を繰り返すが、それ以外の場合、現在の処理を継続させる。上記定時情報は、システムの放送によって端末に通知され、または、専用のＲＲＣメッセージによって端末に通知される。
【０１６１】
上記ステップのうち、ステップ７３は、ステップ７４と並行してもよく、実行に前後順がない。
例５：
【０１６２】
シーン５において、ネットワーク側から異なるノンアンカー搬送波で伝送されるマルチキャストサービスは、同じであってもよく異なってもよいが、ここでは具体的に限定しない。
ネットワーク側からノンアンカー搬送波でノンアンカー搬送波のマルチキャストトラフィックチャネル、および、ノンアンカー搬送波のマルチキャスト制御チャネル更新指示を伝送する。
ネットワーク側からアンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送する。
【０１６３】
ステップ８１において、端末は、ａｎｃｈｏｒ搬送波で送信され、ＳＣ−ＭＣＣＨを受信することに用いられる情報、ＳＣ−ＭＣＣＨ更新指示を受信することに用いられる情報、ＳＣ−ＭＣＣＨ、およびＳＣ−ＰＴＭサービスをサポートするｎｏｎ−ａｎｃｈｏｒ搬送波情報を受信して記憶する。ここで、ＳＣ−ＭＣＣＨを受信することに用いられる情報は、ａｎｃｈｏｒ搬送波で伝送されるＳＣ−ＭＣＣＨの繰り返し周期、オフセット、開始サブフレーム、時間の長さおよび更新周期を含むが、それらに限定されない。ＳＣ−ＭＣＣＨ更新指示を受信することに用いられる情報は、ＳＣ−ＰＴＭサービスをサポートするｎｏｎ−ａｎｃｈｏｒ搬送波情報と、ｎｏｎ−ａｎｃｈｏｒ搬送波で送信されるＳＣ−ＭＣＣＨ更新指示の繰り返し周期、オフセット、開始サブフレーム、および時間の長さを含むが、それらに限定されない。ＳＣ−ＭＣＣＨで送信される情報は、ネットワークにサポートされるＳＣ−ＰＴＭサービスのＰＬＭＮ識別子、ＴＭＧＩ、ｎｏｎ−ａｎｃｈｏｒ搬送波で伝送されるＳＣ−ＭＴＣＨのスケジューリング情報を含むが、それらに限定されない。ＳＣ−ＰＴＭサービスをサポートするｎｏｎ−ａｎｃｈｏｒ搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されず、ＳＣ−ＭＣＣＨで送信されまたはシステムメッセージで放送される。
【０１６４】
ステップ８２において、端末は、ステップ８１のＳＣ−ＭＣＣＨを受信することに用いられる情報に基づいて、ネットワーク側からａｎｃｈｏｒ搬送波で伝送されるＳＣ−ＭＣＣＨを受信し、ｎｏｎ−ａｎｃｈｏｒ搬送波で伝送されるＳＣ−ＰＴＭサービス情報、ＳＣ−ＭＣＣＨを受信することに用いられる情報、および、ＳＣ−ＭＣＣＨを伝送するｎｏｎ−ａｎｃｈｏｒ搬送波情報を得る。
【０１６５】
ステップ８３において、ステップ８２で端末が取得したｎｏｎ−ａｎｃｈｏｒ搬送波で伝送されるＳＣ−ＰＴＭサービスには、端末の嗜好に合うＳＣ−ＰＴＭサービスが含まれる場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信する。
【０１６６】
端末が、ステップ８１のＳＣ−ＭＣＣＨ更新指示を受信することに用いられる情報に基づいて、ｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。ＳＣ−ＭＣＣＨの更新を指示する場合、端末は、ａｎｃｈｏｒ搬送波に戻ってＳＣ−ＭＣＣＨ情報を更新し、ステップ８２で取得したＳＣ−ＭＣＣＨ情報の使用を停止する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。それ以外の場合、元のＳＣ−ＭＣＣＨ情報を引き続き使用し、引き続き当該搬送波でＳＣ−ＰＴＭサービスを受信する。
端末は、ｎｏｎ−ａｎｃｈｏｒ搬送波で、端末の嗜好に合うＳＣ−ＰＴＭサービスを従来の手法で報告する。
ネットワーク側は、ｎｏｎ−ａｎｃｈｏｒ搬送波でＳＣ−ＭＴＣＨを送信する。端末の嗜好に合うＳＣ−ＰＴＭサービスに対し、端末は、ステップ８２またはステップ８３で取得したＳＣ−ＭＣＣＨで送信されるＳＣ−ＭＴＣＨ関連情報に基づいて、ｎｏｎ−ａｎｃｈｏｒ搬送波でＳＣ−ＭＴＣＨを受信する。
【０１６７】
ａｎｃｈｏｒ搬送波で、ＳＣ−ＭＣＣＨを受信することに用いられる情報および／またはＳＣ−ＭＣＣＨ更新指示を受信することに用いられる情報が更新されると、端末は、上記ステップを繰り返す。
例６：
【０１６８】
シーン６において、ネットワーク側から異なるノンアンカー搬送波で伝送されるマルチキャストサービスは、同じであってもよく異なってもよいが、ここでは具体的に限定しない。
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送する。
ネットワーク側からアンカー搬送波で、ノンアンカー搬送波のマルチキャスト制御チャネルを受信することに用いられる第２情報、および、ノンアンカー搬送波のマルチキャスト制御チャネル更新指示を受信することに用いられる第４情報を伝送する。
【０１６９】
ステップ９１において、端末は、ａｎｃｈｏｒ搬送波で送信され、ＳＣ−ＭＣＣＨを受信することに用いられる情報、ＳＣ−ＭＣＣＨ更新指示を受信することに用いられる情報、およびＳＣ−ＰＴＭサービスをサポートするｎｏｎ−ａｎｃｈｏｒ搬送波情報を受信して記憶する。ここで、ＳＣ−ＭＣＣＨを受信することに用いられる情報は、ＳＣ−ＭＣＣＨの繰り返し周期、オフセット、開始サブフレーム、時間の長さおよび更新周期を含むが、それらに限定されない。ＳＣ−ＭＣＣＨ更新指示を受信することに用いられる情報は、ｎｏｎ−ａｎｃｈｏｒ搬送波で伝送されるＳＣ−ＭＣＣＨ更新指示の繰り返し周期、オフセット、開始サブフレームおよび時間の長さを含むが、それらに限定されない。ＳＣ−ＰＴＭサービスをサポートするｎｏｎ−ａｎｃｈｏｒ搬送波情報は、ｎｏｎ−ａｎｃｈｏｒ搬送波のダウンリンク動作周波数点、アップリンク動作周波数点、ノンアンカー搬送波のｉｎｄｅｘ（明示式または暗示式）、ダウンリンク利用可能なサブフレームのｂｉｔｍａｐ構成、ダウンリンクｇａｐ構成、ｉｎｂａｎｄ搬送波情報などを含むが、それらに限定されず、システムメッセージで放送される。
【０１７０】
ステップ９２において、端末は、ステップ９１のＳＣ−ＭＣＣＨを受信することに用いられる情報に基づいて、対応するｎｏｎ−ａｎｃｈｏｒ搬送波でＳＣ−ＭＣＣＨを受信する。端末が取得したｎｏｎ−ａｎｃｈｏｒ搬送波で伝送されるＳＣ−ＰＴＭサービスには、端末の嗜好に合うＳＣ−ＰＴＭサービスが含まれる場合、端末は、ＳＣ−ＰＴＭサービスの受信とページングの受信が時間的に衝突しない搬送波を優先的に選択してＳＣ−ＰＴＭサービスを受信し、または、端末の嗜好に合うＳＣ−ＰＴＭサービスをサポートする搬送波をランダムに１つ選択してＳＣ−ＰＴＭサービスを受信する。
【０１７１】
端末は、ステップ９１のＳＣ−ＭＣＣＨを受信することに用いられる情報およびＳＣ−ＭＣＣＨ更新指示を受信することに用いられる情報に基づいて、選択されたｎｏｎ−ａｎｃｈｏｒ搬送波で、ＳＣ−ＭＣＣＨとＳＣ−ＭＣＣＨ更新指示を受信する。端末がｎｏｎ−ａｎｃｈｏｒ搬送波でＳＣ−ＭＣＣＨ更新指示を受信した場合、当該指示は、ＳＣ−Ｎ−ＲＮＴＩでスクランブルされるＰＤＣＣＨ、または専用のＲＲＣメッセージによって通知される。ＳＣ−ＭＣＣＨの更新を指示する場合、端末は、ｎｏｎ−ａｎｃｈｏｒ搬送波でＳＣ−ＭＣＣＨ情報を更新する。更新後のＳＣ−ＭＣＣＨでの情報によって、当該ｎｏｎ−ａｎｃｈｏｒ搬送波で伝送されるＳＣ−ＰＴＭサービスには、端末の嗜好に合うＳＣ−ＰＴＭサービスが含まれると指示すれば、引き続き当該搬送波を選択してＳＣ−ＰＴＭサービスを受信するが、端末の嗜好に合うＳＣ−ＰＴＭサービスがなければ、搬送波でのＳＣ−ＰＴＭサービスの受信を停止させる。端末は、ｎｏｎ−ａｎｃｈｏｒ搬送波でＳＣ−ＭＣＣＨ更新指示を受信しなかった場合、引き続き当該搬送波を選択してＳＣ−ＰＴＭサービスを受信し、ｎｏｎ−ａｎｃｈｏｒ搬送波で元のＳＣ−ＭＣＣＨ情報を使用する。
端末は、ｎｏｎ−ａｎｃｈｏｒ搬送波で、端末の嗜好に合うＳＣ−ＰＴＭサービスを従来の手法で報告する。
ネットワーク側は、ｎｏｎ−ａｎｃｈｏｒ搬送波でＳＣ−ＭＴＣＨを送信する。端末の嗜好に合うＳＣ−ＰＴＭサービスに対し、端末は、ステップ９２またはステップ９３で取得したＳＣ−ＭＣＣＨで送信されるＳＣ−ＭＴＣＨ関連情報を用いて、ｎｏｎ−ａｎｃｈｏｒ搬送波でＳＣ−ＭＴＣＨを受信する。
【０１７２】
ａｎｃｈｏｒ搬送波で、ＳＣ−ＭＣＣＨを受信することに用いられる情報および／またはＳＣ−ＭＣＣＨ更新指示を受信することに用いられる情報が更新されると、端末は、上記ステップを繰り返す。
【０１７３】
上述したように、本開示の上記実施例のマルチキャストサービス伝送方法およびマルチキャストサービス受信方法によれば、端末がノンアンカー搬送波で伝送されるマルチキャストサービスを受信することができ、アンカー搬送波の負荷を軽減させ、端末の具現複雑度を低下させ、かつマルチキャストサービスの受信を実現する。
【０１７４】
上述した目的をさらに実現するために、図４に示すように、本開示の一部実施例のネットワーク側に応用されるマルチキャストサービス伝送装置は、アンカー搬送波および／またはノンアンカー搬送波である搬送波でマルチキャストサービスの関連情報を伝送することに用いられる伝送モジュール１０１を含む。
【０１７５】
具体的に、本開示の一部実施例において、前記伝送モジュールは、ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第１伝送サブモジュールと、アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第２伝送サブモジュールとを含む。
【０１７６】
具体的に、本開示の一部実施例において、前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第３伝送サブモジュールと、アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第４伝送サブモジュールとを含む。
【０１７７】
具体的に、本開示の一部実施例において、前記伝送モジュールは、ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第５伝送サブモジュールと、アンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第６伝送サブモジュールとを含む。
【０１７８】
具体的に、本開示の一部実施例において、前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第７伝送サブモジュールと、アンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することに用いられる第８伝送サブモジュールとを含む。
【０１７９】
具体的に、本開示の一部実施例において、前記伝送モジュールは、ノンアンカー搬送波でノンアンカー搬送波のマルチキャストトラフィックチャネル、および、ノンアンカー搬送波のマルチキャスト制御チャネル更新指示を伝送することに用いられる第９伝送サブモジュールと、アンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することに用いられる第１０伝送サブモジュールとを含む。
【０１８０】
具体的に、本開示の一部実施例において、マルチキャストサービスをサポートするノンアンカー搬送波の情報は、前記アンカー搬送波のマルチキャスト制御チャネルにて運ばれている。
【０１８１】
具体的に、本開示の一部実施例において、前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【０１８２】
具体的に、本開示の一部実施例において、前記伝送モジュールは、ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第１１伝送サブモジュールと、ノンアンカー搬送波のマルチキャスト制御チャネルを受信することに用いられる第２情報、および、ノンアンカー搬送波のマルチキャスト制御チャネル更新指示を受信することに用いられる第４情報をアンカー搬送波で伝送することに用いられる第１２伝送サブモジュールとを含む。
【０１８３】
具体的に、本開示の一部実施例において、マルチキャストサービスをサポートするノンアンカー搬送波の情報は、ネットワーク側からアンカー搬送波で放送される。
【０１８４】
具体的に、本開示の一部実施例において、前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【０１８５】
具体的に、本開示の一部実施例において、アンカー搬送波のマルチキャスト制御チャネルを受信することに用いられる第１情報は、アンカー搬送波のマルチキャスト制御チャネルの繰り返し周期、オフセット、開始サブフレーム、時間の長さおよび更新周期を含む。
【０１８６】
具体的に、本開示の一部実施例において、ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さおよび更新周期を含む。
【０１８７】
具体的に、本開示の一部実施例において、アンカー搬送波のマルチキャスト制御チャネル更新指示を受信することに用いられる第３情報は、アンカー搬送波のマルチキャスト制御チャネル更新指示の繰り返し周期、オフセット、開始サブフレームおよび時間の長さを含む。
【０１８８】
具体的に、本開示の一部実施例において、ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレームおよび時間の長さを含む。
【０１８９】
なお、本開示の実施例３のマルチキャストサービス伝送装置は、上記実施例１のマルチキャストサービス伝送方法に応用される装置である。上記マルチキャストサービス伝送方法のすべての実施例は、いずれも当該装置に適用し、同一または類似な効果を奏することができる。
【０１９０】
上述した目的をさらに実現するために、図５に示すように、本開示の一部実施例のマルチキャストサービス伝送装置は、プロセッサ１００と、バスインタフェースを介して前記プロセッサ１００に接続され、前記プロセッサによる操作実行に用いられるプログラムとデータを記憶するために用いられるメモリ１２０と、バスインタフェースを介してプロセッサ１００に接続され、マルチキャストサービスおよびマルチキャストサービスの関連情報を送信することに用いられるトランシーバ１１０とを含む。プロセッサが、前記メモリに格納されているプログラムとデータを呼び出して実行すると、アンカー搬送波および／またはノンアンカー搬送波である搬送波でマルチキャストサービスの関連情報を伝送することに用いられる伝送モジュールが実現される。
【０１９１】
ここで、図５において、バスアーキテクチャは、任意数の相互接続するバスとブリッジを含み、具体的に、プロセッサ１００をはじめとする１つ又は複数のプロセッサとメモリ１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１０は、複数の部品であってもよく、即ち送信機と受信機を含み、伝送媒体でほかの各種類の装置と通信するユニットとして提供される。プロセッサ１００は、バスアーキテクチャと通常の処理を管理する。メモリ１２０は、プロセッサ１００による操作実行に用いられるデータを記憶することができる。
【０１９２】
プロセッサ１００は、バスアーキテクチャと通常の処理を管理する。メモリ１２０は、プロセッサ１００による操作実行に用いられるデータを記憶することができる。
【０１９３】
なお、本開示の実施例のマルチキャストサービス伝送装置は、上記実施例のマルチキャストサービス伝送装置に対応する。したがって、上記マルチキャストサービス伝送方法のすべての実施例は、いずれも当該装置に適用し、同一または類似な効果を奏することができる。
【０１９４】
図６に示すように、本開示の一部実施例の端末に応用されるマルチキャストサービス受信装置は、ネットワーク側からアンカー搬送波および／またはノンアンカー搬送波である搬送波で伝送されるマルチキャストサービスの関連情報を受信することに用いられる情報受信モジュール１０２と、前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュール１０３とを含む。
【０１９５】
具体的に、本開示の一部実施例において、前記装置は、ノンアンカー搬送波のマルチキャスト制御チャネル更新指示を受信することに用いられる第４情報がネットワーク側からアンカー搬送波で送信される場合、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することに用いられる第１指示受信モジュールをさらに含む。
【０１９６】
具体的に、本開示の一部実施例において、前記指示受信モジュールは、前記第４情報に基づいて、所定の無線ネットワークテンポラリ識別子でスクランブルされる物理ダウンリンク制御チャネルを前記ノンアンカー搬送波で受信し、マルチキャスト制御チャネルの更新指示を解析して得ることに用いられる第１指示受信サブモジュール、または、前記第４情報に基づいて、所定の無線リソース制御メッセージを前記ノンアンカー搬送波で受信し、マルチキャスト制御チャネルの更新指示を解析して得ることに用いられる第２指示受信サブモジュールを含む。
【０１９７】
具体的に、本開示の一部実施例において、ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレームおよび時間の長さを含む。
【０１９８】
具体的に、本開示の一部実施例において、サービス送信モジュールは、マルチキャストサービスをサポートするノンアンカー搬送波の情報をアンカー搬送波で受信することに用いられる情報受信サブモジュールと、マルチキャストサービスの関連情報、および、マルチキャストサービスをサポートするノンアンカー搬送波の情報に基づいて、マルチキャストサービスをサポートする搬送波を、目標搬送波として搬送波から選択することに用いられる搬送波選択サブモジュールとを含む。
【０１９９】
具体的に、本開示の一部実施例において、情報受信サブモジュールは、ネットワーク側からアンカー搬送波で伝送されるアンカー搬送波のマルチキャスト制御チャネルには、マルチキャストサービスをサポートするノンアンカー搬送波の情報が運ばれている場合、搬送波で伝送される前記マルチキャストサービスの関連情報から、アンカー搬送波で伝送されるアンカー搬送波のマルチキャスト制御チャネルを選択することに用いられる情報選択ユニットと、前記アンカー搬送波のマルチキャスト制御チャネルを解析し、マルチキャストサービスをサポートするノンアンカー搬送波の情報を特定することに用いられる解析ユニットとを含む。
【０２００】
具体的に、本開示の一部実施例において、情報受信サブモジュールは、マルチキャストサービスをサポートするノンアンカー搬送波の情報がネットワーク側からアンカー搬送波で放送される場合、ネットワーク側から放送されるシステムメッセージを受信し、前記システムメッセージを解析して、マルチキャストサービスをサポートするノンアンカー搬送波の情報を特定することに用いられる放送受信ユニットを含む。
【０２０１】
具体的に、本開示の一部実施例において、前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む。
【０２０２】
具体的に、本開示の一部実施例において、前記情報受信モジュールは、アンカー搬送波のマルチキャスト制御チャネル、および、アンカー搬送波のマルチキャスト制御チャネルを受信することに用いられる第１情報がネットワーク側からアンカー搬送波で伝送される場合、ネットワーク側からアンカー搬送波で伝送されるアンカー搬送波のマルチキャスト制御チャネルを受信することに用いられる第１情報を受信することに用いられる第１処理サブモジュールと、前記第１情報に基づいて、前記アンカー搬送波でアンカー搬送波のマルチキャスト制御チャネルを受信することに用いられる第２処理サブモジュールとを含む。
【０２０３】
具体的に、本開示の一部実施例において、前記情報受信モジュールは、ノンアンカー搬送波のマルチキャスト制御チャネルを受信することに用いられる第２情報がネットワーク側からアンカー搬送波で伝送される場合、ネットワーク側からアンカー搬送波で伝送されるノンアンカー搬送波のマルチキャスト制御チャネルを受信することに用いられる第２情報を受信することに用いられる第３処理サブモジュールと、前記第２情報に基づいて、前記ノンアンカー搬送波でノンアンカー搬送波のマルチキャスト制御チャネルを受信することに用いられる第４処理サブモジュールとを含む。
【０２０４】
具体的に、本開示の一部実施例において、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からアンカー搬送波のマルチキャスト制御チャネルで伝送される。または、ネットワーク側でサポートされるマルチキャストサービスの公衆陸上移動体ネットワーク識別子、ネットワーク側でサポートされるマルチキャストサービスの一時的移動体グループ識別子（ＴＭＧＩ）、ノンアンカー搬送波で伝送されるノンアンカー搬送波のマルチキャストトラフィックチャネルのスケジューリング情報は、ネットワーク側からノンアンカー搬送波のマルチキャスト制御チャネルで伝送される。
【０２０５】
具体的に、本開示の一部実施例において、ネットワーク側からアンカー搬送波でアンカー搬送波のマルチキャストトラフィックチャネルが伝送される場合、アンカー搬送波で伝送されるアンカー搬送波のマルチキャストトラフィックチャネルのスケジューリング情報も、ネットワーク側からアンカー搬送波のマルチキャストトラフィックチャネルで伝送される。
【０２０６】
具体的に、本開示の一部実施例において、前記アンカー搬送波のマルチキャスト制御チャネルを受信することに用いられる第１情報は、アンカー搬送波のマルチキャスト制御チャネルの繰り返し周期、オフセット、開始サブフレーム、時間の長さおよび更新周期を含む。
【０２０７】
具体的に、本開示の一部実施例において、前記ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さおよび更新周期を含む。
【０２０８】
具体的に、本開示の一部実施例において、前記サービス送信モジュールは、ネットワーク側からアンカー搬送波で伝送されるアンカー搬送波のマルチキャスト制御チャネル、および／または、ネットワーク側からノンアンカー搬送波で伝送されるノンアンカー搬送波のマルチキャスト制御チャネルに基づいて、ネットワーク側でサポートされるマルチキャストサービス、および、マルチキャストサービスを伝送する搬送波の情報を特定することに用いられる第５処理サブモジュールと、端末の嗜好に合うマルチキャストサービスをサポートする搬送波を、目標搬送波として選択することに用いられる第６処理サブモジュールとを含む。
【０２０９】
具体的に、本開示の一部実施例において、前記サービス送信モジュールは、ネットワーク側からアンカー搬送波で放送され、マルチキャストサービスを伝送する搬送波の情報に基づいて、マルチキャストサービスをサポートする搬送波を選択することに用いられる第１搬送波選択サブモジュールと、ネットワーク側からノンアンカー搬送波で伝送され、ノンアンカー搬送波にサポートされるマルチキャストサービス情報を、ノンアンカー搬送波のマルチキャスト制御チャネルで受信することに用いられる情報受信サブモジュールと、端末の嗜好に合うマルチキャストサービスをサポートする搬送波を、目標搬送波として選択することに用いられる第２搬送波選択サブモジュールとを含む。
【０２１０】
具体的に、本開示の一部実施例において、第６処理サブモジュールは、マルチキャストサービスの受信とページングの受信が時間上衝突しない搬送波を優先的に目標搬送波として選択することに用いられる第１選択ユニット、および／または、端末の嗜好に合うマルチキャストサービスをサポートする搬送波をランダムに一つ選択して目標搬送波とすることに用いられる第２選択ユニットを含む。
【０２１１】
具体的に、本開示の一部実施例において、前記装置は、端末の嗜好に合うマルチキャストサービスのマルチキャストトラフィックチャネルを、前記目標搬送波で受信することに用いられるトラフィックチャネル受信モジュールをさらに含む。
【０２１２】
具体的に、本開示の一部実施例において、前記装置は、端末が目標搬送波でマルチキャストサービスを受信する期間中に、搬送波で伝送されるマルチキャストサービスには、端末の嗜好に合うほかのマルチキャストサービスがある場合、端末が、アンカー搬送波で送信され、アンカー搬送波のマルチキャスト制御チャネル更新指示を受信することに用いられる第３情報に基づいて、アンカー搬送波のマルチキャスト制御チャネル更新指示をアンカー搬送波で受信し、アンカー搬送波で送信され、アンカー搬送波のマルチキャスト制御チャネルを受信することに用いられる第１情報に基づいて、アンカー搬送波のマルチキャスト制御チャネルで送信され、ネットワーク側のすべての搬送波にサポートされるマルチキャストサービスの情報を受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第１選択モジュール、および／または、端末が、最新のアンカー搬送波のマルチキャスト制御チャネルで送信され、ネットワーク側のすべての搬送波にサポートされるマルチキャストサービスの情報をアンカー搬送波で周期的に受信し、端末の嗜好に合うマルチキャストサービスがあるか判断し、端末の嗜好に合うマルチキャストサービスがあれば、端末の嗜好に合うマルチキャストサービスの伝送搬送波でマルチキャストサービスを受信することに用いられる第２選択モジュールをさらに含む。ここで、端末は、システム放送または所定の無線リソース制御メッセージによって、前記周期的な周期の長さを受信する。
【０２１３】
具体的に、本開示の一部実施例において、前記装置は、アンカー搬送波のマルチキャスト制御チャネル更新指示を受信することに用いられる第３情報がネットワーク側からアンカー搬送波で送信される場合、アンカー搬送波のマルチキャスト制御チャネル更新指示を受信することに用いられる第３情報をアンカー搬送波で受信し、前記第３情報に基づいて、前記アンカー搬送波のマルチキャスト制御チャネル更新指示をアンカー搬送波で受信することに用いられる第２指示受信モジュールをさらに含む。
【０２１４】
具体的に、本開示の一部実施例において、アンカー搬送波のマルチキャスト制御チャネル更新指示を受信することに用いられる第３情報は、アンカー搬送波のマルチキャスト制御チャネル更新指示の繰り返し周期、オフセット、開始サブフレームおよび時間の長さを含む。
【０２１５】
具体的に、本開示の一部実施例において、第６サブ処理モジュールは、ネットワーク側から異なるノンアンカー搬送波で同一のマルチキャストサービスが伝送される場合、ネットワーク側から設定され、端末の嗜好に合うマルチキャストサービスをサポートする単一のノンアンカー搬送波を目標搬送波として選択することに用いられる第３選択ユニットを含む。
【０２１６】
具体的に、本開示の一部実施例において、前記装置は、選択された目標搬送波で、端末の嗜好に合うマルチキャストサービスを報告することに用いられる報告モジュールをさらに含む。
【０２１７】
なお、本開示の一部実施例のマルチキャストサービス受信装置は、上記実施例１のマルチキャストサービス受信方法を応用する装置である。上記マルチキャストサービス受信方法のすべての実施例は、いずれも当該装置に適用し、同一または類似な効果を奏することができる。
【０２１８】
上述した目的をさらに実現するために、図５に示す本開示の一部実施例のマルチキャストサービス受信装置は、プロセッサ１００と、バスインタフェースを介して前記プロセッサ１００に接続され、前記プロセッサによる操作実行に用いられるプログラムとデータを記憶するために用いられるメモリ１２０と、バスインタフェースを介してプロセッサ１００に接続され、マルチキャストサービスおよびマルチキャストサービスの関連情報を受信することに用いられるトランシーバ１１０とを含む。プロセッサが、前記メモリに格納されているプログラムとデータを呼び出して実行すると、ネットワーク側からアンカー搬送波および／またはノンアンカー搬送波である搬送波で伝送されるマルチキャストサービスの関連情報を受信することに用いられる情報受信モジュール１０２と、前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュール１０３が実現される。
【０２１９】
ここで、図５において、バスアーキテクチャは、任意数の相互接続するバスとブリッジを含み、具体的に、プロセッサ１００をはじめとする１つ又は複数のプロセッサとメモリ１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１０は、複数の部品であってもよく、即ち送信機と受信機を含み、伝送媒体でほかの各種類の装置と通信するユニットとして提供される。プロセッサ１００は、バスアーキテクチャと通常の処理を管理する。メモリ１２０は、プロセッサ１００による操作実行に用いられるデータを記憶することができる。
【０２２０】
プロセッサ１００は、バスアーキテクチャと通常の処理を管理する。メモリ１２０は、プロセッサ１００による操作実行に用いられるデータを記憶することができる。
【０２２１】
なお、本開示の実施例のマルチキャストサービス受信装置は、上記実施例のマルチキャストサービス受信装置に対応する。したがって、上記マルチキャストサービス受信方法のすべての実施例は、いずれも当該装置に適用し、同一または類似な効果を奏することができる。
【０２２２】
以上の記載は、本開示の好ましい実施形態である。なお、当業者にとって、本開示に記載した原理を逸脱することなくいくつかの改良や修飾を行うこともできる。これらの改良や修飾も、本開示の保護範囲として見なされるべきである。
【図１】
2019528612.tif 000003
【図２】
2019528612.tif 000004
【図３】
2019528612.tif 000005
【図４】
2019528612.tif 000006
【図５】
2019528612.tif 000007
【図６】
2019528612.tif 000008
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
ネットワーク側に応用されるマルチキャストサービス伝送方法において、
ネットワーク側からアンカー搬送波および／またはノンアンカー搬送波である搬送波でマルチキャストサービスの関連情報を伝送することを含むマルチキャストサービス伝送方法。
【請求項２】
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、
ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含み、
または、
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含み、
または、
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することと、
を含み、
または、
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することと、
を含み、
または、
ネットワーク側から搬送波でマルチキャストサービスの関連情報を伝送することは、
ネットワーク側からノンアンカー搬送波でノンアンカー搬送波のマルチキャストトラフィックチャネル、および、ノンアンカー搬送波のマルチキャスト制御チャネル更新指示を伝送することと、
ネットワーク側からアンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することと、
を含み、
または、
ネットワーク側から搬送波でマルチキャストサービスの関連情報を伝送することは、
ネットワーク側からノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することと、
ネットワーク側からアンカー搬送波でノンアンカー搬送波のマルチキャスト制御チャネルを受信することに用いられる第２情報、および、ノンアンカー搬送波のマルチキャスト制御チャネル更新指示を受信することに用いられる第４情報を伝送することと、
を含む請求項１に記載の方法。
【請求項３】
マルチキャストサービスをサポートするノンアンカー搬送波の情報は、前記アンカー搬送波のマルチキャスト制御チャネルにて運ばれている請求項２に記載の方法。
【請求項４】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項３に記載の方法。
【請求項５】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含み、
および／または、
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含み、
および／または、
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含み、
および／または、
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項２に記載の方法。
【請求項６】
端末に応用されるマルチキャストサービス受信方法において、
ネットワーク側からアンカー搬送波および／またはノンアンカー搬送波である搬送波で伝送されるマルチキャストサービスの関連情報を受信することと、
前記マルチキャストサービスの関連情報に基づいて、搬送波から、アンカー搬送波またはノンアンカー搬送波である目標搬送波を選択し、選択された目標搬送波でマルチキャストサービスを受信することと、
を含むマルチキャストサービス受信方法。
【請求項７】
ノンアンカー搬送波のマルチキャスト制御チャネル更新指示を受信することに用いられる第４情報がネットワーク側からアンカー搬送波で送信される場合に、
端末が、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することをさらに含む請求項６に記載の方法。
【請求項８】
端末が前記マルチキャストサービスの関連情報に基づいて搬送波から目標搬送波を選択することは、
端末が、マルチキャストサービスをサポートするノンアンカー搬送波の情報をアンカー搬送波で受信することと、
端末が、マルチキャストサービスの関連情報、および、マルチキャストサービスをサポートするノンアンカー搬送波の情報に基づいて、マルチキャストサービスをサポートする搬送波を、目標搬送波として搬送波から選択することとを含む請求項６に記載の方法。
【請求項９】
アンカー搬送波のマルチキャスト制御チャネル、および、アンカー搬送波のマルチキャスト制御チャネルを受信することに用いられる第１情報がネットワーク側からアンカー搬送波で伝送される場合に、ネットワーク側から搬送波で伝送されるマルチキャストサービスの関連情報を受信することは、
ネットワーク側からアンカー搬送波で伝送されるアンカー搬送波のマルチキャスト制御チャネルを受信することに用いられる第１情報を受信することと、
前記第１情報に基づいて、前記アンカー搬送波でアンカー搬送波のマルチキャスト制御チャネルを受信することと、
を含み、
および／または、
ノンアンカー搬送波のマルチキャスト制御チャネルを受信することに用いられる第２情報がネットワーク側からアンカー搬送波で伝送される場合に、ネットワーク側から搬送波で伝送されるマルチキャストサービスの関連情報を受信することは、
ネットワーク側からアンカー搬送波で伝送されるノンアンカー搬送波のマルチキャスト制御チャネルを受信することに用いられる第２情報を受信することと、
前記第２情報に基づいて、前記ノンアンカー搬送波でノンアンカー搬送波のマルチキャスト制御チャネルを受信することと、
を含む請求項６に記載の方法。
【請求項１０】
ネットワーク側に応用されるマルチキャストサービス伝送装置において、
アンカー搬送波および／またはノンアンカー搬送波である搬送波でマルチキャストサービスの関連情報を伝送することに用いられる伝送モジュールを含むマルチキャストサービス伝送装置。
【請求項１１】
前記伝送モジュールは、
ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第１伝送サブモジュールと、
アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第２伝送サブモジュールと、
を含み、
または、
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第３伝送サブモジュールと、
アンカー搬送波でアンカー搬送波のマルチキャストトラフィックチャネル、アンカー搬送波のマルチキャスト制御チャネル、アンカー搬送波のマルチキャスト制御チャネル更新指示、アンカー搬送波のマルチキャスト制御チャネルを受信することに用いられる第１情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第４伝送サブモジュールと、
を含み、
または、
前記伝送モジュールは、
ノンアンカー搬送波でノンアンカー搬送波のマルチキャストトラフィックチャネル、ノンアンカー搬送波のマルチキャスト制御チャネル、および、ノンアンカー搬送波のマルチキャスト制御チャネル更新指示を伝送することに用いられる第５伝送サブモジュールと、
アンカー搬送波でアンカー搬送波のマルチキャスト制御チャネル、アンカー搬送波のマルチキャスト制御チャネル更新指示、アンカー搬送波のマルチキャスト制御チャネルを受信することに用いられる第１情報、ノンアンカー搬送波のマルチキャスト制御チャネルを受信することに用いられる第２情報、アンカー搬送波のマルチキャスト制御チャネル更新指示を受信することに用いられる第３情報、および、ノンアンカー搬送波のマルチキャスト制御チャネル更新指示を受信することに用いられる第４情報を伝送することに用いられる第６伝送サブモジュールと、
を含み、
または、
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第７伝送サブモジュールと、
アンカー搬送波でアンカー搬送波のマルチキャスト制御チャネル、アンカー搬送波のマルチキャスト制御チャネル更新指示、アンカー搬送波のマルチキャスト制御チャネル更新指示を受信することに用いられる第３情報、ノンアンカー搬送波のマルチキャスト制御チャネル更新指示を受信することに用いられる第４情報、および、アンカー搬送波のマルチキャスト制御チャネルを受信することに用いられる第１情報を伝送することに用いられる第８伝送サブモジュールと、
を含み、
または、
前記伝送モジュールは、
ノンアンカー搬送波でノンアンカー搬送波のマルチキャストトラフィックチャネル、および、ノンアンカー搬送波のマルチキャスト制御チャネル更新指示を伝送することに用いられる第９伝送サブモジュールと、
ネットワーク側から異なるノンアンカー搬送波で同一のマルチキャストサービスが伝送される場合、アンカー搬送波でアンカー搬送波のマルチキャスト制御チャネル、アンカー搬送波のマルチキャスト制御チャネルを受信することに用いられる第１情報、および、ノンアンカー搬送波のマルチキャスト制御チャネル更新指示を受信することに用いられる第４情報を伝送することに用いられる第１０伝送サブモジュールと、
を含み、
または、
前記伝送モジュールは、
ノンアンカー搬送波でノンアンカー搬送波のマルチキャストトラフィックチャネル、ノンアンカー搬送波のマルチキャスト制御チャネルおよびノンアンカー搬送波のマルチキャスト制御チャネル更新指示を伝送することに用いられる第１１伝送サブモジュールと、
ネットワーク側から異なるノンアンカー搬送波で同一のマルチキャストサービスが伝送される場合、ノンアンカー搬送波のマルチキャスト制御チャネルを受信することに用いられる第２情報、および、ノンアンカー搬送波のマルチキャスト制御チャネル更新指示を受信することに用いられる第４情報をアンカー搬送波で伝送することに用いられる第１２伝送サブモジュールと、
を含む請求項１０に記載の装置。
【請求項１２】
マルチキャストサービスをサポートするノンアンカー搬送波の情報は、前記アンカー搬送波のマルチキャスト制御チャネルにて運ばれている請求項１１に記載の装置。
【請求項１３】
前記マルチキャストサービスをサポートするノンアンカー搬送波の情報は、ノンアンカー搬送波のダウンリンク動作周波数点、ノンアンカー搬送波のアップリンク動作周波数点、ノンアンカー搬送波のインデックス、ダウンリンク利用可能なサブフレームのビットマップ構成、ダウンリンクｇａｐ構成、インバンド搬送波情報を含む請求項１２に記載の装置。
【請求項１４】
アンカー搬送波のマルチキャスト制御チャネルを受信することに用いられる第１情報は、アンカー搬送波のマルチキャスト制御チャネルの繰り返し周期、オフセット、開始サブフレーム、時間の長さ、および、更新周期を含み、
および／または、
ノンアンカー搬送波のマルチキャスト制御チャネルを受信することに用いられる第２情報は、ノンアンカー搬送波のマルチキャスト制御チャネルの繰り返し周期、オフセット、開始サブフレーム、時間の長さ、および、更新周期を含み、
および／または、
アンカー搬送波のマルチキャスト制御チャネル更新指示を受信することに用いられる第３情報は、アンカー搬送波のマルチキャスト制御チャネル更新指示の繰り返し周期、オフセット、開始サブフレーム、および、時間の長さを含み、
および／または、
ノンアンカー搬送波のマルチキャスト制御チャネル更新指示を受信することに用いられる第４情報は、ノンアンカー搬送波のマルチキャスト制御チャネル更新指示の繰り返し周期、オフセット、開始サブフレーム、および、時間の長さを含む請求項１１に記載の装置。
【請求項１５】
端末に応用されるマルチキャストサービス受信装置において、
ネットワーク側からアンカー搬送波および／またはノンアンカー搬送波である搬送波で伝送されるマルチキャストサービスの関連情報を受信することに用いられる情報受信モジュールと、
前記マルチキャストサービスの関連情報に基づいて、搬送波から、アンカー搬送波またはノンアンカー搬送波である目標搬送波を選択し、選択された目標搬送波でマルチキャストサービスを受信することに用いられるサービス送信モジュールとを含むマルチキャストサービス受信装置。
【請求項１６】
ノンアンカー搬送波のマルチキャスト制御チャネル更新指示を受信することに用いられる第４情報がネットワーク側からアンカー搬送波で送信される場合、ノンアンカー搬送波のマルチキャスト制御チャネル更新指示を受信することに用いられる第４情報をアンカー搬送波で受信し、前記第４情報に基づいて、前記ノンアンカー搬送波のマルチキャスト制御チャネル更新指示をノンアンカー搬送波で受信することに用いられる第１指示受信モジュールをさらに含む請求項１５に記載の装置。
【請求項１７】
サービス送信モジュールは、
マルチキャストサービスをサポートするノンアンカー搬送波の情報をアンカー搬送波で受信することに用いられる情報受信サブモジュールと、
マルチキャストサービスの関連情報、および、マルチキャストサービスをサポートするノンアンカー搬送波の情報に基づいて、マルチキャストサービスをサポートする搬送波を、目標搬送波として搬送波から選択することに用いられる搬送波選択サブモジュールとを含む請求項１５に記載の装置。
【請求項１８】
前記情報受信モジュールは、
アンカー搬送波のマルチキャスト制御チャネル、および、アンカー搬送波のマルチキャスト制御チャネルを受信することに用いられる第１情報がネットワーク側からアンカー搬送波で伝送される場合、ネットワーク側からアンカー搬送波で伝送されるアンカー搬送波のマルチキャスト制御チャネルを受信することに用いられる第１情報を受信することに用いられる第１処理サブモジュールと、
前記第１情報に基づいて、前記アンカー搬送波でアンカー搬送波のマルチキャスト制御チャネルを受信することに用いられる第２処理サブモジュールと、
を含み、
および／または、
前記情報受信モジュールは、
ノンアンカー搬送波のマルチキャスト制御チャネルを受信することに用いられる第２情報がネットワーク側からアンカー搬送波で伝送される場合、ネットワーク側からアンカー搬送波で伝送されるノンアンカー搬送波のマルチキャスト制御チャネルを受信することに用いられる第２情報を受信することに用いられる第３処理サブモジュールと、
前記第２情報に基づいて、前記ノンアンカー搬送波でノンアンカー搬送波のマルチキャスト制御チャネルを受信することに用いられる第４処理サブモジュールと、
を含む請求項１５に記載の装置。
【国際調査報告】
2019528612.tif 000009
2019528612.tif 000010
2019528612.tif 000011
2019528612.tif 000012
2019528612.tif 000013
2019528612.tif 000014